(57)【要約】      （修正有）【課題】アイテムの編集操作を統一し、操作手順を減らすことにより、アイテムの編集操作を容易にすることが可能なアイテム編集装置、アイテム編集方法を提供する。【解決手段】各アイテムの上辺、下辺、左辺、右辺、中心点及び中心点以外の内部に指定領域が属性情報として設定された編集対象アイテムをアイテム変更手段によって、レイアウト領域内で編集する編集方法であって、前記アイテムの編集に際して、前記編集対象アイテムの指定領域のいずれかを指定する行程と、前記指定されたアイテムの移動先として前記レイアウト領域内の任意の点を移動先として指定する行程と、前記指定点の指定に応じて、前記アイテム変更手段に含まれる、アーチ形生成手段，アイテム曲がり量変更手段，アイテム幅変更手段，アイテム高さ変更手段，アイテム位置変更手段のいずれかの手段を選択して、編集対象アイテムを前記レイアウト領域内で編集する行程を含む。【選択図】図３
2008165727.tif 000002
【特許請求の範囲】
【請求項１】
各アイテムの上辺、下辺、左辺、右辺、中心点及び中心点以外の内部に指定領域が属性情報として設定された編集対象アイテムをアイテム変更手段によって、レイアウト領域内で編集する編集方法であって、
前記アイテムの編集に際して、前記編集対象アイテムの指定領域のいずれかを指定する行程と、
前記指定されたアイテムの移動先として前記レイアウト領域内の任意の点を移動先として指定する行程と、
前記指定点の指定に応じて、前記アイテム変更手段に含まれる、アーチ形生成手段，アイテム曲がり量変更手段，アイテム幅変更手段，アイテム高さ変更手段，アイテム位置変更手段のいずれかの手段を選択して、編集対象アイテムを前記レイアウト領域内で編集する行程と、
を含むことを特徴とするアイテム編集方法。
【請求項２】
前記アーチ形生成手段は、編集対象である矩形アイテムの中心点指定領域を指定し、その後別の点を指定することにより矩形アイテムをアーチ形のアイテムに変更する手段であり、
アイテム曲がり量変更手段は、編集対象アイテムの中心点指定領域を指定し、その後別の点を指定したことにより当該アイテムの曲がり量を変更する手段であり、
アイテム幅変更手段は、編集対象アイテムの左辺又は右辺の幅指定領域を指定し、その後別の点を指定したことにより当該アイテムの幅を変更する手段であり、
アイテム高さ変更手段は、編集対象アイテムの上辺又は下辺の高さ指定領域を指示し、その後別の点を指定したことにより当該アイテムの高さを変更する手段であり、
アイテム位置変更手段は、編集対象アイテムの内部の中心点以外の指定領域を指示し、その後別の点を指定したことにより当該アイテムの位置を変更する手段である、
ことを特徴とする請求項１に記載のアイテム編集方法。
【請求項３】
各アイテムの上辺、下辺、左辺、右辺、中心点及び中心点以外の内部の指定領域が属性情報として設定された編集対象アイテムをアイテム変更手段によって、円形又は円形の１部で構成されるレイアウト領域内で編集する編集方法であって、
前記円形又は円形の１部の中心を編集の基準点と設定する行程と、
前記アイテムの編集に際して、前記編集対象アイテムの指定領域のいずれかを指定する行程と、
前記指定されたアイテムの移動先として前記レイアウト領域内の任意の点を移動先として指定する行程と、
前記指定点の指定に応じて、前記アイテム変更手段である、アーチ形生成手段，アイテム曲がり量変更手段，アイテム幅変更手段，アイテム高さ変更手段，アイテム位置変更手段のいずれかの変更手段を選択して、編集対象アイテムを前記基準点を中心として編集する行程と、
を含むことを特徴とするアイテム編集方法。
【請求項４】
前記アーチ形生成手段は、編集対象である矩形アイテムの中心点指定領域を指定し、その後別の点を指定したことにより、前記基準点を中心として矩形アイテムをアーチ形のアイテムに変更する手段であり、
アイテム曲がり量変更手段は、編集対象であるアーチ形アイテムの中心である中心点指定領域を指定し、その後別の点を指定したことにより、前記基準点を中心として当該アーチ形アイテムの曲がり量を変更する手段であり、
アイテム幅変更手段は、編集対象アーチ形アイテムの左辺又は右辺の指定領域を指示し、その後別の点を指定したことにより、前記基準点を中心として当該アーチ形アイテムの幅を変更する手段であり、
アイテム高さ変更手段は、編集対象アーチ形アイテムの上辺又は下辺の指定領域を指定し、その後別の点を指定したことにより、前記基準点を中心として当該アーチ形アイテムの高さを変更する手段であり、
アイテム位置変更手段は、編集対象アーチ形アイテムの中心点以外の指定領域を指定し、その後別の点を指定したことにより、前記基準点を中心として当該アーチ形アイテムの位置を変更する手段である、
ことを特徴とする請求項３に記載のアイテム編集方法。
【請求項５】
各アイテムの上辺、下辺、左辺、右辺、中心点及び中心点以外の内部の指定領域が属性情報として設定された編集対象アイテムをレイアウト領域内で編集する編集装置であって、
前記アイテムの編集に際して、前記編集対象であるアイテムの指定領域のいずれかを指定し、その後編集対象アイテムの移動先として前記レイアウト領域内の任意の点を指定し、
前記指定領域の指定に応じて、アーチ形の生成，アイテム曲がり量の変更，アイテム幅の変更，アイテム高さの変更，アイテム位置の変更のいずれかを選択して、編集対象アイテムを移動先に移動することを特徴とするアイテム編集装置。
【請求項６】
各アイテムの上辺、下辺、左辺、右辺、中心点及び中心点以外の内部の指定領域が属性情報として設定された編集対象アイテムをアイテム変更手段によって、レイアウト領域内で編集する編集装置であって、
前記アイテムの編集に際して、前記編集対象であるアイテムの指定領域のいずれかを指定し、その後編集対象アイテムの移動先として前記レイアウト領域内の任意の点を指定する移動点指定手段と、
前記指定領域の指定に応じて、前記アイテム変更手段に含まれる、アーチ形生成手段，アイテム曲がり量変更手段，アイテム幅変更手段，アイテム高さ変更手段，アイテム位置変更手段のいずれかの変更手段を選択して、編集対象アイテムを移動先に移動するアイテム移動手段と、
備えることを特徴とするアイテム編集装置。
【請求項７】
前記アーチ形生成手段は、編集対象である矩形アイテムの中心の中心点指定領域を指定し、その後別の点を指定することにより当該矩形アイテムをアーチ形のアイテムに変更する手段であり、
アイテム曲がり量変更手段は、編集対象アイテムの中心点指定領域を指定し、その後別の点を指定したことにより当該アイテムの曲がり量を変更する手段であり、
アイテム幅変更手段は、編集対象アイテムの左辺又は右辺の幅指定領域を指定し、その後別の点を指定したことにより当該アイテムの幅を変更する手段であり、
アイテム高さ変更手段は、編集対象アイテムの上辺又は下辺の高さ指定領域を指定し、その後別の点を指定したことにより当該アイテムの高さを変更する手段であり、
アイテム位置変更手段は、編集対象アイテムの内部の中心点以外の指定領域を指定し、その後別の点を指定したことにより当該アイテムの位置を変更する手段である、
ことを特徴とする請求項６に記載のアイテム編集装置。
【請求項８】
各アイテムの上辺、下辺、左辺及び右辺の指定点，前記アイテムの中心点及び中心点以外の内部の指定点が属性情報として設定された編集対象アイテムをアイテム変更手段によって、円形又は円形の１部で構成されるレイアウト領域内で編集する編集装置であって、
前記円形又は円形の１部の中心を編集の基準点と設定する基準点設定手段と、
前記アイテムの編集に際して、前記編集対象であるアイテムの指定領域のいずれかを指定し、その後編集対象アイテムの移動先として前記レイアウト領域内の任意の点を指定する移動点指定手段と、
前記指定点の指定に応じて、前記アイテム変更手段に含まれる、アーチ形生成手段，アイテム曲がり量変更手段，アイテム幅変更手段，アイテム高さ変更手段，アイテム位置変更手段のいずれかの変更手段を選択して、編集対象アイテムを前記基準点を中心として編集するアイテム移動手段と、
備えることを特徴とするアイテム編集装置。
【請求項９】
前記アーチ形生成手段は、編集対象である矩形のアイテムを前記基準点を中心としてアーチ形のアイテムに変更する手段であり、
アイテム曲がり量変更手段は、編集対象であるアーチ形アイテムの中心点指定領域を指定し、その後別の点を指定したことにより、前記基準点を中心として当該アーチ形アイテムの曲がり量を変更する手段であり、
アイテム幅変更手段は、編集対象アーチ形アイテムの左辺又は右辺の幅指定領域を指定し、その後別の点を指定したことにより、前記基準点を中心として当該アーチ形アイテムの幅を変更する手段であり、
アイテム高さ変更手段は、編集対象アーチ形アイテムの上辺又は下辺の高さ指定領域を指定し、その後別の点を指定したことにより、前記基準点を中心として当該アーチ形アイテムの高さを変更する手段であり、
アイテム位置変更手段は、編集対象アーチ形アイテムの内部の中心点以外の指定領域を指定し、その後別の点を指定したことにより、前記基準点を中心として当該アーチ形アイテムの位置を変更する手段である、
ことを特徴とする請求項８に記載のアイテム編集装置。
【請求項１０】
各アイテムの上辺、下辺、左辺、右辺、中心点及び中心点以外の内部の指定領域が属性情報として設定された編集対象アイテムをアイテム変更手段によって、レイアウト領域内で編集する処理をコンピュータに実行させるプログラムであって、
請求項１から４のいずれか１項に記載のアイテム編集方法の各行程の手順を前記コンピュータに実行させることを特徴とするプログラム。
【発明の詳細な説明】
【技術分野】
【０００１】
本発明は、アイテム編集方法、アイテム編集装置及びそのプログラムに関する。
特に、ＤＶＤ、ＣＤ、その他の光学記録媒体（メディア）のレーベル面に印刷されるテキスト文字列等のアイテムを、レーベル面の形状に合わせて編集することが可能なアイテム編集方法、アイテム編集装置及びそのプログラムに関する。
【背景技術】
【０００２】
近時、個人情報や企業秘密等に対する機密保持管理の要請から、ＣＤ、ＤＶＤ等の光学
記録媒体へのデータ記録を集中管理の要請や、デジタル音楽データまたはデジタル画像デ
ータの光学記録媒体への記録の要請が高まっている。
また、該当配布用や展示会等で配布するために、１０〜１００枚程度の比較的少量の光学記録媒体の作成やダビングのニーズも多くなっている。
【０００３】
そのために、デジタルデータ、イメージデータ、音楽データ等の各種データを高速でＤ
ＶＤ、ＣＤ等の光学記録媒体（各種メディア）に記録し、レーベル面に記録内容を印刷す
る装置が提案されている。
例えば、ビジネス用途の記録媒体作成装置としては、未使用のＣＤを収納するホルダと、ＣＤ記録部と、ラベルプリンタ部と、記録済ＣＤホルダとを備えており、医療用画像をＣＤのような光学記録媒体に記録し、識別ラベルをレーベル面に印刷する記録媒体作成装置が開示されている（特許文献１参照）。
【０００４】
また、レーベル面に印刷するテキスト文字列等のアイテムの形状を、ＣＤやＤＶＤの印
刷面（レーベル面）形状にあわせて、アーチ形に編集することがあった。
以下、アーチ形とは、２個の半径の同心円を１本の直線または２本の直線によって分割した、２個の円弧と２本の線分から形成される閉領域の形、または、扇形を総称する。
また、アイテムの形状とは、１つのアイテムの印刷可能領域の形状である。
【特許文献１】特開２００２−５８６４９号公報
【発明の開示】
【発明が解決しようとする課題】
【０００５】
しかしながら、従来、アーチ形のアイテムの形状や回転角度を変更したり、アーチ形の
アイテムのレイアウト位置を変更したりするとき、矩形のアイテムの形状や回転角度を変
更したり、矩形のアイテムのレイアウト位置を変更したりするときと異なる編集操作をオ
ペレータがすることにより、変更することができる編集があったり、矩形のアイテムの時
にはできるが、アーチ形のアイテムの時にはできない操作があった。
そのため、オペレータは、アイテムの形が矩形であるか、アーチ形であるかにより、アイテムの編集操作を変えたり、一旦矩形にして編集してからアーチ形に戻すなどの編集操作をしなければならないという問題点があった。
また、編集操作により、アイテムの形状を変更するとき、オペレータの思っていた変更後の形状と異なる形状となってしまう場合もあった。
【０００６】
本発明は、以上のような問題点を解決するためになされたもので、ＤＶＤ、ＣＤ、その
他の光学記録媒体（メディア）のレーベル面に印刷されるテキスト文字列等のアイテムが
矩形であるかアーチ形であるかにかかわらず、アイテムの編集操作を統一し、操作手順を
減らすことにより、アイテムの編集操作を容易にすることが可能なアイテム編集装置、ア
イテム編集方法及びプログラムを提供することを目的とする。
【課題を解決するための手段】
【０００７】
上述した従来の問題点を解決すべく下記の発明を提供する。
【０００８】
各アイテムの上辺、下辺、左辺、右辺、中心点及び中心点以外の内部の指定領域が属性情報として設定された編集対象アイテムをアイテム変更手段によって、レイアウト領域内で編集する編集方法であって、
前記アイテムの編集に際して、前記編集対象アイテムの指定領域のいずれかを指定する行程と、前記指定されたアイテムの移動先として前記レイアウト領域内の任意の点を移動先として指定する行程と、前記指定点の指定に応じて、前記アイテム変更手段に含まれる、アーチ形生成手段，アイテム曲がり量変更手段，アイテム幅変更手段，アイテム高さ変更手段，アイテム位置変更手段のいずれかの変更手段を選択して、編集対象アイテムを前記レイアウト領域内で編集する行程とを含むことを特徴とする。
【０００９】
また、前記アーチ形生成手段は、編集対象である矩形アイテムの中心点指定領域を指定し、その後別の点を指定してことにより矩形アイテムをアーチ形のアイテムに変更する手段であり、
アイテム曲がり量変更手段は、編集対象アイテムの中心点指定領域を指定し、その後別の点を指定したことにより当該アイテムの曲がり量を変更する手段であり、
アイテム幅変更手段は、編集対象アイテムの左辺又は右辺の幅指定領域を指定し、その後別の点を指定したことにより当該アイテムの幅を変更する手段であり、
アイテム高さ変更手段は、編集対象アイテムの上辺又は下辺の高さ指定領域を指示し、その後別の点を指定したことにより当該アイテムの高さを変更する手段であり、
アイテム位置変更手段は、編集対象アイテムの内部の中心点以外の指定領域を指示し、その後別の点を指定したことにより当該アイテムの位置を変更する手段である、
ことを特徴とする。
【００１０】
また、各アイテムの上辺、下辺、左辺、右辺、中心点及び中心点以外の内部の指定領域が属性情報として設定された編集対象アイテムをアイテム変更手段によって、円形又は円形の１部で構成されるレイアウト領域内で編集する編集方法であって、
前記円形又は円形の１部の中心を編集の基準点と設定する行程と、
前記アイテムの編集に際して、前記編集対象アイテムの指定領域のいずれかを指定する行程と、
前記指定されたアイテムの移動先として前記レイアウト領域内の任意の点を移動先として指定する行程と、
前記指定点の指定に応じて、前記アイテム変更手段である、アーチ形生成手段，アイテム曲がり量変更手段，アイテム幅変更手段，アイテム高さ変更手段，アイテム位置変更手段のいずれかの変更手段を選択して、編集対象アイテムを前記基準点を中心として編集する行程とを含むことを特徴とする。
【００１１】
また、前記アーチ形生成手段は、編集対象である矩形アイテムの中心点指定領域を指定し、その後別の点を指定したことにより、前記基準点を中心として矩形アイテムをアーチ形のアイテムに変更する手段であり、
アイテム曲がり量変更手段は、編集対象であるアーチ形アイテムの中心である中心点指定領域を指定し、その後別の点を指定したことにより、前記基準点を中心として当該アーチ形アイテムの曲がり量を変更する手段であり、
アイテム幅変更手段は、編集対象アーチ形アイテムの左辺又は右辺の指定領域を指示し、その後別の点を指定したことにより、前記基準点を中心として当該アーチ形アイテムの幅を変更する手段であり、
アイテム高さ変更手段は、編集対象アーチ形アイテムの上辺又は下辺の指定領域を指定し、その後別の点を指定したことにより、前記基準点を中心として当該アーチ形アイテムの高さを変更する手段であり、
アイテム位置変更手段は、編集対象アーチ形アイテムの中心点以外の指定領域を指定し、その後別の点を指定したことにより、前記基準点を中心として当該アーチ形アイテムの位置を変更する手段であることを特徴とする。
【００１２】
また、各アイテムの上辺、下辺、左辺、右辺、中心点及び中心点以外の内部の指定領域が属性情報として設定された編集対象アイテムをレイアウト領域内で編集する編集装置であって、
前記アイテムの編集に際して、前記編集対象であるアイテムの指定領域のいずれかを指定し、その後編集対象アイテムの移動先として前記レイアウト領域内の任意の点を指定し、
前記指定領域の指定に応じて、アーチ形の生成，アイテム曲がり量の変更，アイテム幅の変更，アイテム高さの変更，アイテム位置の変更のいずれかを選択して、編集対象アイテムを移動先に移動することを特徴とする。
【００１３】
また、各アイテムの上辺、下辺、左辺、右辺、中心点及び中心点以外の内部の指定領域が属性情報として設定された編集対象アイテムをアイテム変更手段によって、レイアウト領域内で編集する編集装置であって、
前記アイテムの編集に際して、前記編集対象であるアイテムの指定領域のいずれかを指定し、その後編集対象アイテムの移動先として前記レイアウト領域内の任意の点を指定する移動点指定手段と、
前記指定領域の指定に応じて、前記アイテム変更手段に含まれる、アーチ形生成手段，アイテム曲がり量変更手段，アイテム幅変更手段，アイテム高さ変更手段，アイテム位置変更手段のいずれかの変更手段を選択して、編集対象アイテムを移動先に移動するアイテム移動手段と備えることを特徴とする。
【００１４】
また、前記アーチ形生成手段は、編集対象である矩形アイテムの中心の中心点指定領域を指定し、その後別の点を指定することにより当該矩形アイテムをアーチ形のアイテムに変更する手段であり、
アイテム曲がり量変更手段は、編集対象アイテムの中心点指定領域を指定し、その後別の点を指定したことにより当該アイテムの曲がり量を変更する手段であり、
アイテム幅変更手段は、編集対象アイテムの左辺又は右辺の幅指定領域を指定し、その後別の点を指定したことにより当該アイテムの幅を変更する手段であり、
アイテム高さ変更手段は、編集対象アイテムの上辺又は下辺の高さ指定領域を指定し、その後別の点を指定したことにより当該アイテムの高さを変更する手段であり、
アイテム位置変更手段は、編集対象アイテムの内部の中心点以外の指定領域を指定し、その後別の点を指定したことにより当該アイテムの位置を変更する手段であることを特徴とする。
【００１５】
また、各アイテムの上辺、下辺、左辺、右辺、中心点及び中心点以外の内部の指定点が属性情報として設定された編集対象アイテムをアイテム変更手段によって、円形又は円形の１部で構成されるレイアウト領域内で編集する編集装置であって、
前記円形又は円形の１部の中心を編集の基準点と設定する基準点設定手段と、
前記アイテムの編集に際して、前記編集対象であるアイテムの指定領域のいずれかを指定し、その後編集対象アイテムの移動先として前記レイアウト領域内の任意の点を指定する移動点指定手段と、
前記指定点の指定に応じて、前記アイテム変更手段に含まれる、アーチ形生成手段，アイテム曲がり量変更手段，アイテム幅変更手段，アイテム高さ変更手段，アイテム位置変更手段のいずれかの変更手段を選択して、編集対象アイテムを前記基準点を中心として編集するアイテム移動手段と備えることを特徴とする。
【００１６】
また、前記アーチ形生成手段は、編集対象である矩形のアイテムを前記基準点を中心としてアーチ形のアイテムに変更する手段であり、
アイテム曲がり量変更手段は、編集対象であるアーチ形アイテムの中心点指定領域を指定し、その後別の点を指定したことにより、前記基準点を中心として当該アーチ形アイテムの曲がり量を変更する手段であり、
アイテム幅変更手段は、編集対象アーチ形アイテムの左辺又は右辺の幅指定領域を指定し、その後別の点を指定したことにより、前記基準点を中心として当該アーチ形アイテムの幅を変更する手段であり、
アイテム高さ変更手段は、編集対象アーチ形アイテムの上辺又は下辺の高さ指定領域を指定し、その後別の点を指定したことにより、前記基準点を中心として当該アーチ形アイテムの高さを変更する手段であり、
アイテム位置変更手段は、編集対象アーチ形アイテムの内部の中心点以外の指定領域を指定し、その後別の点を指定したことにより、前記基準点を中心として当該アーチ形アイテムの位置を変更する手段であることを特徴とする。
【００１７】
また、各アイテムの上辺、下辺、左辺及び右辺の指定領域，前記アイテムの中心点及び中心点以外の内部の指定領域が属性情報として設定された編集対象アイテムをアイテム変更手段によって、レイアウト領域内で編集する処理をコンピュータに実行させるプログラムであって、請求項１から４のいずれか１項に記載のアイテム編集方法の各行程の手順を前記コンピュータに実行させることを特徴とする。
【００１８】
本発明のアイテム編集装置の例として第１の実施形態として、更に、以下のものがある。
(１)  アイテムを編集するアイテム編集装置は、半径の異なる２つの同心円を径方向の２本の直線によって分割された２本の円弧と２本の線分とによって形成される閉領域の形、または、１つの円を径方向の２本の直線によって分割された１本の円弧と２本の線分とによって形成される扇形をアーチ形とする。
そして、幅指定点を含む所定の領域を幅指定点領域とし、高さ指定点を含む所定の領域を高さ指定点領域とし、中心点を含む所定の領域を中心点領域としたとき、上下左右の方向を有する矩形である前記アイテムの属性情報に基づいて、当該アイテムの前記中心点領域の内部の１点である第１移動点のみを、異なる位置の１点へ移動させることにより、アーチ形の当該アイテムの属性情報を生成するアーチ形生成手段が構成される。
また、アーチ形の前記アイテムの属性情報に基づいて、当該アイテムの前記中心点領域の内部の１点である第２移動点のみを、異なる位置の１点へ移動させることにより、変更前と曲がり量の異なる変更後のアーチ形の当該アイテムの属性情報を生成するアイテム曲がり量変更手段が構成される。
また、アーチ形の前記アイテムの属性情報に基づいて、当該アイテムの２個の前記幅指定領域のいずれか一方の領域の内部の１点である第３移動点のみを、異なる位置の１点へ移動させることにより、変更前と幅の異なる変更後のアーチ形の当該アイテムの属性情報を生成するアイテム幅変更手段と、アーチ形の前記アイテムの属性情報に基づいて、当該アイテムの２個の前記高さ指定領域のいずれか一方の領域の内部の１点である第４移動点のみを、異なる位置の１点へ移動させることにより、変更前と高さの異なる変更後のアーチ形の当該アイテムの属性情報を生成するアイテム高さ変更手段が構成される。
また、アーチ形の前記アイテムの属性情報に基づいて、当該アイテムの前記中心点領域、２個の前記幅指定領域及び２個の前記高さ指定点領域を除いた当該アイテムの領域の内部の１点である第５移動点のみを、異なる位置の１点へ移動させることにより、変更前と前記アイテムの位置が異なる変更後のアーチ形の当該アイテムの属性情報を生成するアイテム位置変更手段が構成される。
そして、前記アーチ形生成手段は、変更後の前記アイテムが、前記閉領域の形のアーチ形であるときは、矩形の上辺及び下辺がアーチ形を形成する２本の円弧に対応する。
また、矩形の左辺及び右辺がアーチ形の２本の線分に対応し、変更後の前記アイテムが、扇形のアーチ形であるときは、矩形の上辺または下辺がアーチ形を形成する１本の円弧に対応し、かつ、矩形の左辺及び右辺がアーチ形の２本の線分に対応するように、上下左右の方向を有するアーチ形の当該アイテムの属性情報を生成することができる。
【００１９】
また、矩形の対角線の交点を矩形の中心点とし、矩形の左辺及び右辺の長さを矩形の高
さとし、矩形の左辺及び右辺の中点を矩形の幅指定点とし、矩形の上辺及び下辺の中点を
矩形の高さ指定点とし、矩形の高さ指定点及び中心点を通る直線を矩形の幅中心線とする
。
また、幅指定点を含む所定の領域を幅指定点領域とし、高さ指定点を含む所定の領域を
高さ指定点領域とし、中心点を含む所定の領域を中心点領域とする。
【００２０】
これにより、アイテムがアーチ形のときも、アイテムが矩形のときと同様の編集操作に
より、アイテムの形状、回転角度、位置等を変更することができる。即ち、矩形のアイテ
ムの編集操作と、アーチ形のアイテムの編集操作を統一することができる。
また、１つの操作手順により、アイテムの一方向の形状、位置、回転角度、アイテムの形（矩形かアーチ形か）等の中の少なくとも１つを変更することができる。従って、オペレータは、アイテムの編集操作を容易に行うことができる。
例えば、オペレータが、マウスを使用して、アーチ形のアイテムのレイアウト位置を変
更するとき、矩形のアイテムのときと同様に、変更前のアイテムの領域内のポイントを、
変更後にレイアウトしたい位置に移動させる１つの操作を実行するだけで、アイテムのレ
イアウト位置が変更できる。
【００２１】
(２)    前記アーチ形生成手段は、
変更前の矩形の前記アイテムの２個の前記幅指定点の位置が変更後のアーチ形の当該アイテムの２個の前記幅指定点の位置となり、変更前の矩形の当該アイテムの前記高さと変更後のアーチ形の当該アイテムの前記高さとが同じである。
また、変更後のアーチ形の当該アイテムの前記中心点の位置が、変更前の矩形の当該アイテムの幅中心線上を、変更前の矩形の当該アイテムの２個の前記幅指定点を結ぶ線分から移動後の前記第１移動点までの距離だけ、変更前の矩形の当該アイテムの前記中心点から変位した位置となるように、アーチ形の当該アイテムの属性情報を生成することを特徴とする。
【００２２】
これにより、矩形のアイテムをアーチ形のアイテムに変更することができる。
また、オペレータが思っていた変更後のアイテムの形状に近い形状にすることができる。
【００２３】
（３）  前記アイテム曲がり量変更手段は、
変更前のアーチ形の前記アイテムの２個の前記幅指定点の位置が変更後のアーチ形の前記アイテムの２個の前記幅指定点の位置となる。
また、変更前のアーチ形の当該アイテムの前記高さと変更後のアーチ形の当該アイテムの前記高さとが同じである。
また、変更後のアーチ形の当該アイテムの前記中心点の位置が、変更前のアーチ形の当該アイテムの前記幅中心線上を、変更前のアーチ形の当該アイテムの２個の前記幅指定点を結ぶ線分に平行でかつ変更前のアーチ形の当該アイテムの前記中心点を通る直線から移動後の前記第２移動点までの距離だけ、変更前のアーチ形の当該アイテムの前記中心点から変位した位置となるように、変更前と前記曲がり量の異なる変更後のアーチ形の当該アイテムの属性情報を生成することを特徴とする。
【００２４】
これにより、変更前のアーチ形のアイテムを、曲がり量の異なる変更後のアーチ形のア
イテムに変更することができる。また、オペレータが思っていた変更後のアイテムの形状
により近い形状にすることができる。
【００２５】
（４）  前記アイテム編集装置は、
上述したアイテム編集装置において、変更後のアーチ形の前記アイテムの前記曲がり量が０であるとき、変更後の当該アイテムは矩形であることを特徴とする。
【００２６】
これにより、アーチ形の変更前のアイテムを、矩形の変形後のアイテムに変更すること
ができる。
【００２７】
（５）  前記アイテム幅変更手段は、
変更前のアーチ形の前記アイテムの２個の前記幅指定点のうち、前記第３移動点に近い点を第１幅指定点、遠い点を第２幅指定点としたとき、変更前のアーチ形の前記アイテムの前記高さと変更後のアーチ形の当該アイテムの前記高さとが同じである。
また、変更前のアーチ形の当該アイテムの前記曲がり量と変更後のアーチ形の当該アイテムの前記曲がり量とが同じであり、かつ、変更後のアーチ形の当該アイテムの２個の前記幅指定点の位置が、変更前のアーチ形の当該アイテムの前記第２幅指定点の位置と、移動後の前記第３移動点の位置となるように、変更前と前記幅の異なる変更後のアーチ形の当該アイテムの属性情報を生成することを特徴とする。
【００２８】
これにより、変更前のアーチ形のアイテムを、幅の異なる変更後のアーチ形のアイテム
に変更することができる。
また、オペレータが思っていた変更後のアイテムの形状、回転角度等に近い形状にすることができる。
【００２９】
（６）  前記アイテム高さ変更手段は、
変更前のアーチ形の前記アイテムの２個の前記高さ指定点のうち、前記第４移動点に近い点を第１高さ指定点、遠い点を第２高さ指定点としたとき、変更前のアーチ形の前記アイテムの前記円中心点の位置が変更後のアーチ形の当該アイテムの前記円中心点の位置となる。
また、変更後のアーチ形の当該アイテムの前記高さが、移動前の前記第４移動点とアーチ形の円中心点までの距離と移動後の前記第４移動点とアーチ形の円中心点までの距離の差だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００３０】
これにより、変更前のアーチ形のアイテムを、高さの異なる変更後のアーチ形のアイテ
ムに変更することができる。
また、オペレータが思っていた変更後のアイテムの形状に近い形状にすることができる。
【００３１】
（７）  前記アイテムアイテム高さ変更手段は、
変更前のアーチ形の前記アイテムの２個の前記高さ指定点のうち、前記第４移動点に近い点を第１高さ指定点、遠い点を第２高さ指定点としたとき、変更前のアーチ形の前記アイテムの前記円中心点の位置が変更後のアーチ形の当該アイテムの前記円中心点の位置となる。
また、変更後のアーチ形の当該アイテムの前記高さが、変更前の当該アイテムの２個の前記幅指定点を結ぶ線分に平行で、かつ、移動前の前記第４移動点を通る直線から移動後の前記第４移動点までの距離だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在し、かつ、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００３２】
これにより、変更前のアーチ形のアイテムを、高さの異なる変更後のアーチ形のアイテ
ムに変更することができる。
また、オペレータが思っていた変更後のアイテムの形状に近い形状にすることができる。
【００３３】
（８）  前記アイテム位置変更手段は、
変更前のアーチ形の前記アイテムの前記幅と変更後のアーチ形の当該アイテムの前記幅とが同じであり、かつ、変更前のアーチ形の当該アイテムの前記高さと変更後のアーチ形の前記アイテムの前記高さとが同じである。
また、変更前のアーチ形の当該アイテムの前記曲がり量と変更後のアーチ形の当該アイテムの前記曲がり量とが同じである。
そして、変更後のアーチ形の当該アイテムの２個の前記幅指定点の位置及び２個の前記高さ指定点の位置及び前記中心点の位置が、移動前の前記第５移動点と移動後の前記第５移動点とを結ぶ線分に平行である。
また、移動前の前記第５移動点と移動後の前記第５移動点との距離だけ、変更前のアーチ形の当該アイテムの２個の前記幅指定点の位置及び２個の前記高さ指定点の位置及び前記中心点位置から変位した位置になるように、変更前と位置が異なる変更後のアーチ形の当該アイテムの属性情報を生成することを特徴とする。
【００３４】
これにより、変更前のアーチ形のアイテムを、位置の異なる変更後のアーチ形のアイテ
ムに変更することができる。
また、オペレータが思っていた変更後のアイテムの位置に近い位置にすることができる。
【００３５】
本発明のアイテム編集方法の例として第１の実施形態として、更に、以下のものがある。
（９）  アイテムを編集するアイテム編集方法は、
半径の異なる２つの同心円を径方向の１本または２本の直線によって分割された２本の円弧と２本の線分とによって形成される閉領域の形、または、１つの円を径方向の１本または２本の直線によって分割された１本の円弧と２本の線分とによって形成される扇形をアーチ形とし、幅指定点を含む所定の領域を幅指定点領域とし、高さ指定点を含む所定の領域を高さ指定点領域とし、中心点を含む所定の領域を中心点領域としたとき、
（ａ）上下左右の方向を有する矩形である前記アイテムの属性情報に基づいて、当該ア
イテムの前記中心点領域の内部の１点である第１移動点のみを、異なる位置の１点へ移動
させることにより、アーチ形の当該アイテムの属性情報を生成するアーチ形生成工程と、
（ｂ）アーチ形の前記アイテムの属性情報に基づいて、当該アイテムの前記中心点領域の
内部の１点である第２移動点のみを、異なる位置の１点へ移動させることにより、変更前
と曲がり量の異なる変更後のアーチ形の当該アイテムの属性情報を生成するアイテム曲が
り量変更工程と、
（ｃ）アーチ形の前記アイテムの属性情報に基づいて、当該アイテムの２個の前記幅指定領域のいずれか一方の領域の内部の１点である第３移動点のみを、異なる位置の１点へ移動させることにより、変更前と幅の異なる変更後のアーチ形の当該アイテムの属性情報を生成するアイテム幅変更工程と、
（ｄ）アーチ形の前記アイテムの属性情報に基づいて、当該アイテムの２個の前記高さ指定領域のいずれか一方の領域の内部の１点である第４移動点のみを、異なる位置の１点へ移動させることにより、変更前と高さの異なる変更後のアーチ形の当該アイテムの属性情報を生成するアイテム高さ変更工程と、
（ｅ）アーチ形の前記アイテムの属性情報に基づいて、当該アイテムの前記中心点領域
、２個の前記幅指定領域及び２個の前記高さ指定点領域を除いた当該アイテムの領域の内
部の１点である第５移動点のみを、異なる位置の１点へ移動させることにより、変更前と
位置が異なる変更後のアーチ形の当該アイテムの属性情報を生成するアイテム位置変更工
程と、を備える。
そして、前記アーチ形生成工程（ａ）は、変更後の前記アイテムが、前記閉領域の形のアーチ形であるときは、矩形の上辺及び下辺がアーチ形を形成する２本の円弧に対応し、かつ、矩形の左辺及び右辺がアーチ形の２本の線分に対応し、変更後の前記アイテムが、扇形のアーチ形であるときは、矩形の上辺または下辺がアーチ形を形成する１本の円弧に対応する。
また、矩形の左辺及び右辺がアーチ形の２本の線分に対応するように、上下左右の方向を有するアーチ形の当該アイテムの属性情報を生成することを特徴とする。
【００３６】
これにより、上述した本発明の態様にかかるアイテム編集装置と同等の効果が得られる。
【００３７】
（１０）  前記アーチ形生成工程（ａ）は、
変更前の矩形の前記アイテムの２個の前記幅指定点の位置が変更後のアーチ形の当該アイテムの２個の前記幅指定点の位置となる。
また、変更前の矩形の当該アイテムの前記高さと変更後のアーチ形の当該アイテムの前記高さとが同じである。
そして、変更後のアーチ形の当該アイテムの前記中心点の位置が、変更前の矩形の当該アイテムの幅中心線上を、変更前の矩形の当該アイテムの２個の前記幅指定点を結ぶ線分から移動後の前記第１移動点までの距離だけ、変更前の矩形の当該アイテムの前記中心点から変位した位置となるように、アーチ形の当該アイテムの属性情報を生成することを特徴とする。
【００３８】
これにより、上述した本発明の態様にかかるアイテム編集装置と同等の効果が得られる。
【００３９】
（１１）  前記アイテム曲がり量変更工程（ｂ）は、
変更前のアーチ形の前記アイテムの２個の前記幅指定点の位置が変更後のアーチ形の前記アイテムの２個の前記幅指定点の位置となる。
また、変更前のアーチ形の当該アイテムの前記高さと変更後のアーチ形の当該アイテムの前記高さとが同じである。
そして、変更後のアーチ形の当該アイテムの前記中心点の位置が、変更前のアーチ形の当該アイテムの前記幅中心線上を、変更前のアーチ形の当該アイテムの２個の前記幅指定点を結ぶ線分に平行でかつ変更前のアーチ形の当該アイテムの前記中心点を通る直線から移動後の前記第２移動点までの距離だけ、変更前のアーチ形の当該アイテムの前記中心点から変位した位置となるように、変更前と前記曲がり量の異なる変更後のアーチ形の当該アイテムの属性情報を生成することを特徴とする。
【００４０】
これにより、上述した本発明の態様にかかるアイテム編集装置と同等の効果が得られる。
【００４１】
（１２）  上述のアイテム編集方法において、変更後のアーチ形の前記アイテムの前記曲がり量が０であるとき、変更後の当該アイテムは矩形であることを特徴とする。
【００４２】
これにより、上述した本発明の態様にかかるアイテム編集装置と同等の効果が得られる。
【００４３】
（１３）  前記アイテム幅変更工程（ｃ）は、
変更前のアーチ形の前記アイテムの２個の前記幅指定点のうち、前記第３移動点に近い点を第１幅指定点、遠い点を第２幅指定点としたとき、変更前のアーチ形の前記アイテムの前記高さと変更後のアーチ形の当該アイテムの前記高さとが同じである。
また、変更前のアーチ形の当該アイテムの前記曲がり量と変更後のアーチ形の当該アイテムの前記曲がり量とが同じである。
そして、変更後のアーチ形の当該アイテムの２個の前記幅指定点の位置が、変更前のアーチ形の当該アイテムの前記第２幅指定点の位置と、移動後の前記第３移動点の位置となるように、変更前と前記幅の異なる変更後のアーチ形の当該アイテムの属性情報を生成することを特徴とする。
【００４４】
これにより、上述した本発明の態様にかかるアイテム編集装置と同等の効果が得られる。
【００４５】
（１４）  前記アイテム高さ変更工程（ｄ）は、
変更前のアーチ形の前記アイテムの２個の前記高さ指定点のうち、前記第４移動点に近い点を第１高さ指定点、遠い点を第２高さ指定点としたとき、変更前のアーチ形の前記アイテムの前記円中心点の位置が変更後のアーチ形の当該アイテムの前記円中心点の位置となる。
そして、変更後のアーチ形の当該アイテムの前記高さが、移動前の前記第４移動点とアーチ形の円中心点までの距離と移動後の前記第４移動点とアーチ形の円中心点までの距離の差だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００４６】
これにより、上述した本発明の態様にかかるアイテム編集装置と同等の効果が得られる。
【００４７】
（１５）  前記アイテム高さ変更工程（ｄ）は、
変更前のアーチ形の前記アイテムの２個の前記高さ指定点のうち、前記第４移動点に近い点を第１高さ指定点、遠い点を第２高さ指定点としたとき、変更前のアーチ形の前記アイテムの前記円中心点の位置が変更後のアーチ形の当該アイテムの前記円中心点の位置となる。
そして、変更後のアーチ形の当該アイテムの前記高さが、変更前の当該アイテムの２個の前記幅指定点を結ぶ線分に平行である。
また、移動前の前記第４移動点を通る直線から移動後の前記第４移動点までの距離だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００４８】
これにより、上述した本発明の態様にかかるアイテム編集装置と同等の効果が得られる。
【００４９】
（１６）  前記アイテム位置変更工程（ｅ）が、変更前のアーチ形の前記アイテムの前記
幅と変更後のアーチ形の当該アイテムの前記幅とが同じである。
また、、変更前のアーチ形の当該アイテムの前記高さと変更後のアーチ形の当該アイテムの前記高さとが同じである。
また、変更前のアーチ形の当該アイテムの前記曲がり量と変更後のアーチ形の当該アイ
テムの前記曲がり量とが同じである。
そして、変更後のアーチ形の当該アイテムの２個の前記幅指定点の位置及び２個の前記高さ指定点の位置及び前記中心点の位置が、移動前の前記第５移動点と移動後の前記第５移動点とを結ぶ線分に平行である。
また、移動前の前記第５移動点と移動後の前記第５移動点との距離だけ、変更前のアーチ形の当該アイテムの２個の前記幅指定点の位置及び２個の前記高さ指定点の位置及び前記中心点位置から変位した位置になるように、変更前と位置が異なる変更後のアーチ形の当該アイテムの属性情報を生成することを特徴とする。
【００５０】
これにより、上述した本発明の態様にかかるアイテム編集装置と同等の効果が得られる。
【００５１】
本発明のアイテム編集装置の例として第２の実施形態として、更に、以下のものがある。
（１７）  アイテムを編集するアイテム編集装置は、
円形または半径の異なる２つの同心円によって形成されるドーナツ形のレイアウト領域上にレイアウトされるアイテムを編集するアイテム編集装置であって、半径の異なる２つの同心円を径方向の２本の直線によって分割された２本の円弧と２本の線分とによって形成される閉領域の形、または、１つの円を径方向の２本の直線によって分割された１本の円弧と２本の線分とによって形成される扇形をアーチ形とする。
そして、幅指定点を含む所定の領域を幅指定点領域とし、高さ指定点を含む所定の領域を高さ指定点領域としたとき、レイアウト領域中心点をアーチ形の円中心点にするか否かを、前記アイテムの属性情報の中の１つの情報として、前記アイテム毎に設定するレイアウト領域中心設定手段とする。
また、上下左右の方向を有する矩形である前記アイテムの属性情報に基づいて、前記レイアウト領域中心設定手段によって、当該アイテムが、アーチ形の前記円中心点を前記レイアウト領域中心点にすると設定されたときに、当該アイテムの前記中心点を保持したまま、アーチ形の前記円中心点が前記レイアウト領域中心点となるように、アーチ形の当該アイテムの属性情報を生成するアーチ形生成手段が構成される。
また、アーチ形の前記アイテムの属性情報に基づいて、前記レイアウト領域中心設定手段によって、当該アイテムが、アーチ形の前記円中心点を前記レイアウト領域中心点にすると設定されたときに、当該アイテムの前記中心点を保持したまま、アーチ形の前記円中心点が前記レイアウト領域中心点となるように、変更前と前記曲がり量の異なる変更後のアーチ形の当該アイテムの属性情報を生成するアーチ形曲がり量変更手段が構成される。
また、アーチ形の前記アイテムの属性情報に基づいて、前記レイアウト領域中心設定手段によって、当該アイテムが、アーチ形の前記円中心点を前記レイアウト領域中心点にすると設定されているときに、アーチ形の当該アイテムの前記円中心点を前記レイアウト領域中心点に保持したまま、当該アイテムの２個の前記幅指定領域のいずれか一方の領域の内部の１点である第１移動点のみを、異なる位置の１点へ移動させることにより、変更前と幅の異なる変更後のアーチ形の当該アイテムの属性情報を生成するアーチ形幅変更手段が構成される。
また、アーチ形の前記アイテムの属性情報に基づいて、前記レイアウト領域中心設定手段によって、当該アイテムが、アーチ形の前記円中心点を前記レイアウト領域中心点にすると設定されているときに、アーチ形の当該アイテムの前記円中心点を前記レイアウト領域中心点に保持したまま、当該アイテムの２個の前記高さ指定領域のいずれか一方の領域の内部の１点である第２移動点のみを、異なる位置の１点へ移動させることにより、変更前と高さの異なる変更後のアーチ形の当該アイテムの属性情報を生成するアーチ形高さ変更手段が構成される。
また、アーチ形の前記アイテムの属性情報に基づいて、前記レイアウト領域中心設定手段によって、当該アイテムが、アーチ形の前記円中心点を前記レイアウト領域中心点にすると設定されているときに、アーチ形の当該アイテムの前記円中心点を前記レイアウト領域中心点に保持したまま、当該アイテムの２個の前記幅指定領域及び２個の前記高さ指定点領域を除いた当該アイテムの領域の内部の１点である第３移動点のみを、異なる位置の１点へ移動させることにより、変更前と前記アイテムの位置が異なる変更後のアーチ形の当該アイテムの属性情報を生成するアイテム位置変更手段が構成される。
そして、前記アーチ形生成手段は、変更後の前記アイテムが、前記閉領域の形のアーチ形であるときは、矩形の上辺及び下辺がアーチ形を形成する２本の円弧に対応し、かつ、矩形の左辺及び右辺がアーチ形の２本の線分に対応し、変更後の前記アイテムが、扇形のアーチ形であるときは、矩形の上辺または下辺がアーチ形を形成する１本の円弧に対応し、かつ、矩形の左辺及び右辺がアーチ形の２本の線分に対応するように、上下左右の方向を有するアーチ形の当該アイテムの属性情報を生成することを特徴とすることを特徴とする。
【００５２】
ここで、半径の異なる２つの同心円を径方向の２本の直線によって分割された２本の円弧と２本の線分とによって形成される閉領域の形、または、１つの円を径方向の２本の直線によって分割された１本の円弧と２本の線分とによって形成される扇形をアーチ形とする。
また、レイアウト領域を形成する円形の円中心点、または、ドーナツ形の同心円の円中心点をレイアウト領域中心点とする。
【００５３】
また、アーチ形を形成する円弧の円中心点をアーチ形の円中心点とし、アーチ形を形成
する２本の線分の長さをアーチ形の高さとし、アーチ形を形成する２本の線分上の中点を
アーチ形の幅指定点とする。
また、アーチ形が閉領域の形であるとき、閉領域の形を形成する２本の円弧上の中点をアーチ形の高さ指定点とする。
また、アーチ形が扇形であるとき、扇形を形成する１本の円弧上の中点と２本の線分の接点とを、アーチ形の高さ指定点とする。
【００５４】
また、アーチ形の２個の幅指定点を端点とし、かつ、アーチ形を形成する円弧の円中心
点を円中心点とする円弧を、アーチ形の高さ中心円弧とする。
また、アーチ形の高さ中心円弧の長さをアーチ形の幅とし、アーチ形の高さ中心円弧上の中点をアーチ形の中心点とし、アーチ形の円中心点と中心点とを通る直線をアーチ形の幅中心線とし、アーチ形の２個の幅指定点を結ぶ線分から、アーチ形の中心点までの距離を曲がり量とする。
【００５５】
また、矩形の対角線の交点を矩形の中心点とし、矩形の左辺及び右辺の長さを矩形の高
さとし、矩形の上辺及び下辺の長さを矩形の幅とする。
また、幅指定点を含む所定の領域を幅指定点領域とし、高さ指定点を含む所定の領域を高さ指定点領域とする。
【００５６】
これにより、ＤＶＤ、ＣＤ、その他の光学記録媒体（メディア）のレーベル面の形状に
合わせたアーチ形のアイテムを編集することができる。
即ち、アーチ形を形成する円弧の円中心とＤＶＤ、ＣＤ等のレーベル面の中心とを一致させるようなアーチ形を形成し、編集することができる。
【００５７】
また、アイテムがアーチ形のときも、アイテムが矩形のときと同様の編集操作により、
アイテムの形状、回転角度、位置等を変更することができる。
即ち、矩形のアイテムの編集操作と、アーチ形のアイテムの編集操作を統一することができる。
また、１つの操作手順により、アイテムの一方向の形状、位置、回転角度、アイテムの形（矩形かアーチ形か）等の中の少なくとも１つを変更することができる。従って、オペレータは、アイテムの編集操作を容易に行うことができる。
【００５８】
例えば、オペレータが、マウスを使用して、アーチ形のアイテムのレイアウト位置を変
更するとき、矩形のアイテムのときと同様に、変更前のアイテムの領域内のポイントを、
変更後にレイアウトしたい位置に移動させる１つの操作を実行するだけで、アイテムのレ
イアウト位置が変更できる。
【００５９】
（１８）  前記アイテム編集装置は、
本発明の第１の態様にかかるアイテム編集装置の前記アーチ形生成手段が、変更前の矩形の前記アイテムの前記中心点の位置が変更後のアーチ形の当該アイテムの前記中心点の位置となる。
また、変更前の矩形の当該アイテムの前記幅と変更後のアーチ形の当該アイテムの前記幅とが同じであり、かつ、変更前の矩形の当該アイテムの前記高さと変更後のアーチ形の当該アイテムの前記高さとが同じである。
そして、変更後のアーチ形の当該アイテムの前記円中心点の位置が前記レイアウト領域中心点となるように、アーチ形の当該アイテムの属性情報を生成することを特徴とする。
【００６０】
これにより、矩形のアイテムを、ＤＶＤ、ＣＤ、その他の光学記録媒体（メディア）の
レーベル面の形状に合わせたアーチ形のアイテムに変更することができる。
【００６１】
（１９）  前記アーチ形曲がり量変更手段は、
変更前のアーチ形の前記アイテムの前記中心点の位置が変更後のアーチ形の当該アイテムの前記中心点の位置となり、かつ、変更前のアーチ形の当該アイテムの前記幅と変更後のアーチ形の当該アイテムの前記幅とが同じである。
また、変更前のアーチ形の当該アイテムの前記高さと変更後のアーチ形の当該アイテムの前記高さとが同じである。
そして、変更後のアーチ形の当該アイテムの前記円中心点の位置が前記レイアウト領域中心点となるように、変更前と前記曲がり量の異なる変更後のアーチ形の当該アイテムの属性情報を生成することを特徴とする。
【００６２】
これにより、矩形のアイテムを、ＤＶＤ、ＣＤ、その他の光学記録媒体（メディア）の
レーベル面の形状に合わせたアーチ形のアイテムに変更することができる。
【００６３】
（２０）  前記アーチ形幅変更手段は、
変更前のアーチ形の前記アイテムの２個の前記幅指定点のうち、前記第１移動点に近い点を第１幅指定点、遠い点を第２幅指定点とし、前記レイアウト領域中心点と前記第１幅指定点とを結ぶ線分を基準に、前記線分と、前記レイアウト領域中心点と変更後の前記第１移動点とを結ぶ線分との成す角を幅変更角としたとき、変更前及び変更後のアーチ形の前記アイテムの前記円中心点の位置が前記レイアウト領域中心点の位置となる。
また、変更前のアーチ形の当該アイテムの前記中心点の位置が変更後のアーチ形の当該アイテムの前記中心点の位置となる。
また、変更前のアーチ形の当該アイテムの前記高さと変更後のアーチ形の前記アイテムの前記高さとが同じである。
そして、変更後のアーチ形の当該アイテムの２個の前記幅指定点の位置が、変更前のアーチ形の当該アイテムの前記第１幅指定点を前記レイアウト領域中心点の回りを前記幅変更角だけ正回転した点の位置と、変更前のアーチ形の当該アイテムの前記第２幅指定点を前記レイアウト領域中心点の回りに前記幅変更角だけ逆回転した点の位置とになるように、変更前と前記幅の異なる変更後のアーチ形の当該アイテムの属性情報を生成することを特徴とする。
【００６４】
これにより、ＤＶＤ、ＣＤ、その他の光学記録媒体（メディア）のレーベル面の形状に
合わせたアーチ形のまま、変更前のアーチ形のアイテムを、幅の異なる変更後のアーチ形
のアイテムに変更することができる。
【００６５】
（２１）  前記アーチ形幅変更手段は、
変更前のアーチ形の前記アイテムの２個の前記幅指定点のうち、前記第１移動点に近い点を第１幅指定点、遠い点を第２幅指定点とし、前記レイアウト領域中心点と前記第１幅指定点とを結ぶ線分を基準に、前記線分と、前記レイアウト領域中心点と変更後の前記第１移動点とを結ぶ線分との成す角を幅変更角としたとき、変更前及び変更後のアーチ形の前記アイテムの前記円中心点の位置が前記レイアウト領域中心点の位置となる。
また、変更前のアーチ形の当該アイテムの前記高さと変更後のアーチ形の前記アイテムの前記高さとが同じである。
そして、変更後のアーチ形の当該アイテムの２個の前記幅指定点の位置が、変更前のアーチ形の当該アイテムの前記第１幅指定点を前記レイアウト領域中心点の回りを前記幅変更角だけ正回転した点の位置と、変更前のアーチ形の当該アイテムの前記第２幅指定点の位置とになるように、変更前と前記幅の異なる変更後のアーチ形の当該アイテムの属性情報を生成することを特徴とする。
【００６６】
これにより、ＤＶＤ、ＣＤ、その他の光学記録媒体（メディア）のレーベル面の形状に
合わせたアーチ形のまま、変更前のアーチ形のアイテムを、幅の異なる変更後のアーチ形
のアイテムに変更することができる。
【００６７】
（２２）  前記アーチ形高さ変更手段は、
変更前のアーチ形の前記アイテムの２個の前記高さ指定点のうち、前記第２移動点に近い点を第１高さ指定点、遠い点を第２高さ指定点としたとき、変更前及び変更後のアーチ形の前記アイテムの前記円中心点の位置が前記レイアウト領域中心点の位置となる。
また、変更後のアーチ形の当該アイテムの前記高さが、移動前の前記第２移動点とアーチ形の円中心点までの距離と移動後の前記第２移動点とアーチ形の円中心点までの距離の差だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００６８】
これにより、ＤＶＤ、ＣＤ、その他の光学記録媒体（メディア）のレーベル面の形状に
合わせたアーチ形のまま、変更前のアーチ形のアイテムを、高さの異なる変更後のアーチ
形のアイテムに変更することができる。
【００６９】
（２３）  前記アーチ形高さ変更手段は、
変更前のアーチ形の前記アイテムの２個の前記高さ指定点のうち、前記第２移動点に近い点を第１高さ指定点、遠い点を第２高さ指定点としたとき、変更前及び変更後のアーチ形の前記アイテムの前記円中心点の位置が前記レイアウト領域中心点の位置となる。
また、変更後のアーチ形の当該アイテムの前記高さが、変更前の当該アイテムの２個の前記幅指定点を結ぶ線分に平行である。
また、移動前の前記第２移動点を通る直線から移動後の前記第２移動点までの距離だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００７０】
これにより、ＤＶＤ、ＣＤ、その他の光学記録媒体（メディア）のレーベル面の形状に
合わせたアーチ形のまま、変更前のアーチ形のアイテムを、高さの異なる変更後のアーチ
形のアイテムに変更することができる。
【００７１】
（２４）  前記アイテム位置変更手段は、
移動前の前記第３移動点と前記レイアウト領域中心点とを結び線分と、変更前のアーチ形の当該アイテムの前記高さ中心円弧との交点を交点１とし、移動後の前記第３移動点と前記レイアウト領域中心点とを結び線分と、変更後のアーチ形の当該アイテムの前記高さ中心円弧との交点を交点２としたとき、変更前及び変更後のアーチ形の前記アイテムの前記円中心点の位置が前記レイアウト領域中心点の位置となる。
また、変更前のアーチ形の当該アイテムの前記幅と、変更後のアーチ形の当該アイテムの前記幅とが同じである。
また、変更前のアーチ形の当該アイテムの前記高さと変更後のアーチ形の当該アイテムの前記高さとが同じである。
また、移動前の前記第３移動点と前記交点１との距離と、移動後の前記第３移動点と前記交点３との距離とが同じである。
そして、変更前のアーチ形の当該アイテムの前記高さ中心円弧上の、変更前のアーチ形の当該アイテムの前記中心点と前記交点１との長さと、変更後のアーチ形の当該アイテムの前記高さ中心円弧上の、変更後のアーチ形の当該アイテムの前記中心点と前記交点２との長さとが同じであるように、変更前と位置が異なる変更後のアーチ形の当該アイテムの属性情報を生成することを特徴とする。
【００７２】
これにより、ＤＶＤ、ＣＤ、その他の光学記録媒体（メディア）のレーベル面の形状に
合わせたアーチ形のまま、変更前のアーチ形のアイテムを、位置の異なる変更後のアーチ
形のアイテムに変更することができる。
【００７３】
本発明のアイテム編集方法の例として第２の実施形態として、更に、以下のものがある。
（２５）  第２の実施形態にかかるアイテム編集方法は、
円形または半径の異なる２つの同心円によって形成されるドーナツ形のレイアウト領域上にレイアウトされるアイテムを編集するアイテム編集方法であって、半径の異なる２つの同心円を径方向の２本の直線によって分割された２本の円弧と２本の線分とによって形成される閉領域の形、または、１つの円を径方向の２本の直線によって分割された１本の円弧と２本の線分とによって形成される扇形をアーチ形とする。
そして、幅指定点を含む所定の領域を幅指定点領域とし、高さ指定点を含む所定の領域を高さ指定点領域としたとき、
（ａ）レイアウト領域中心点をアーチ形の円中心点にするか否かを、前記アイテムの属性情報の中の１つの情報として、前記アイテム毎に設定するレイアウト領域中心設定工程と、（ｂ）上下左右の方向を有する矩形である前記アイテムの属性情報に基づいて、前記レイアウト領域中心設定工程（ａ）によって、当該アイテムが、アーチ形の前記円中心点を前記レイアウト領域中心点にすると設定されたときに、当該アイテムの前記中心点を保持したまま、アーチ形の前記円中心点が前記レイアウト領域中心点となるように、アーチ形の当該アイテムの属性情報を生成するアーチ形生成工程と、
（ｃ）アーチ形の前記アイテムの属性情報に基づいて、前記レイアウト領域中心設定工程によって、当該アイテムが、アーチ形の前記円中心点を前記レイアウト領域中心点にすると設定されたときに、当該アイテムの前記中心点を保持したまま、アーチ形の前記円中心点が前記レイアウト領域中心点となるように、変更前と前記曲がり量の異なる変更後のアーチ形の当該アイテムの属性情報を生成するアーチ形曲がり量変更工程と、
（ｄ）アーチ形の前記アイテムの属性情報に基づいて、前記レイアウト領域中心設定工（ａ）によって、当該アイテムが、アーチ形の前記円中心点を前記レイアウト領域中心点にすると設定されているときに、アーチ形の当該アイテムの前記円中心点を前記レイアウト領域中心点に保持したまま、当該アイテムの２個の前記幅指定領域のいずれか一方の領域の内部の１点である第１移動点のみを、異なる位置の１点へ移動させることにより、変更前と幅の異なる変更後のアーチ形の当該アイテムの属性情報を生成するアーチ形幅変更工程と、
（ｅ）アーチ形の前記アイテムの属性情報に基づいて、前記レイアウト領域中心設定工程（ａ）によって、当該アイテムが、アーチ形の前記円中心点を前記レイアウト領域中心点にすると設定されているときに、アーチ形の当該アイテムの前記円中心点を前記レイアウト領域中心点に保持したまま、当該アイテムの２個の前記高さ指定領域のいずれか一方の領域の内部の１点である第２移動点のみを、異なる位置の１点へ移動させることにより、変更前と高さの異なる変更後のアーチ形の当該アイテムの属性情報を生成するアーチ形高さ変更工程と、
（ｆ）アーチ形の前記アイテムの属性情報に基づいて、前記レイアウト領域中心設定工程（ａ）によって、当該アイテムが、アーチ形の前記円中心点を前記レイアウト領域中心点にすると設定されているときに、アーチ形の当該アイテムの前記円中心点を前記レイアウト領域中心点に保持したまま、当該アイテムの２個の前記幅指定領域及び２個の前記高さ指定点領域を除いた当該アイテムの領域の内部の１点である第３移動点のみを、異なる位置の１点へ移動させることにより、変更前と前記アイテムの位置が異なる変更後のアーチ形の当該アイテムの属性情報を生成するアイテム位置変更工程とを備える。
そして、前記アーチ形生成工程（ｂ）は、変更後の前記アイテムが、前記閉領域の形のアーチ形であるときは、矩形の上辺及び下辺がアーチ形を形成する２本の円弧に対応し、かつ、矩形の左辺及び右辺がアーチ形の２本の線分に対応し、変更後の前記アイテムが、扇形のアーチ形であるときは、矩形の上辺または下辺がアーチ形を形成する１本の円弧に対応し、かつ、矩形の左辺及び右辺がアーチ形の２本の線分に対応するように、上下左右の方向を有するアーチ形の当該アイテムの属性情報を生成することを特徴とすることを特徴とする。
【００７４】
これにより、上述した本発明の態様にかかるアイテム編集装置と同等の効果が得られる。
【００７５】
（２６）  前記アーチ形生成工程（ｂ）は、
変更前の矩形の前記アイテムの前記中心点の位置が変更後のアーチ形の当該アイテムの前記中心点の位置となる。
また、変更前の矩形の当該アイテムの前記幅と変更後のアーチ形の当該アイテムの前記幅とが同じである。
また、変更前の矩形の当該アイテムの前記高さと変更後のアーチ形の当該アイテムの前記高さとが同じである。
そして、変更後のアーチ形の当該アイテムの前記円中心点の位置が前記レイアウト領域中心点となるように、アーチ形の当該アイテムの属性情報を生成することを特徴とする。
【００７６】
これにより、上述した本発明の態様にかかるアイテム編集装置と同等の効果が得られる。
【００７７】
（２７）  前記アーチ形曲がり量変更工程（ｃ）は、
変更前のアーチ形の前記アイテムの前記中心点の位置が変更後のアーチ形の当該アイテムの前記中心点の位置となる。
また、変更前のアーチ形の当該アイテムの前記幅と変更後のアーチ形の当該アイテムの前記幅とが同じである。
また、変更前のアーチ形の当該アイテムの前記高さと変更後のアーチ形の当該アイテムの前記高さとが同じである。
そして、変更後のアーチ形の当該アイテムの前記円中心点の位置が前記レイアウト領域中心点となるように、変更前と前記曲がり量の異なる変更後のアーチ形の当該アイテムの属性情報を生成することを特徴とする。
【００７８】
これにより、上述した本発明の態様にかかるアイテム編集装置と同等の効果が得られる。
【００７９】
（２８）  前記アーチ形幅変更工程（ｄ）は、
変更前のアーチ形の前記アイテムの２個の前記幅指定点のうち、前記第１移動点に近い点を第１幅指定点、遠い点を第２幅指定点とし、前記レイアウト領域中心点と前記第１幅指定点とを結ぶ線分を基準に、前記線分と、前記レイアウト領域中心点と変更後の前記第１移動点とを結ぶ線分との成す角を幅変更角としたとき、変更前及び変更後のアーチ形の前記アイテムの前記円中心点の位置が前記レイアウト領域中心点の位置となる。
また、変更前のアーチ形の当該アイテムの前記中心点の位置が変更後のアーチ形の当該アイテムの前記中心点の位置となる。
また、変更前のアーチ形の当該アイテムの前記高さと変更後のアーチ形の前記アイテムの前記高さとが同じである。
そして、変更後のアーチ形の当該アイテムの２個の前記幅指定点の位置が、変更前のアーチ形の当該アイテムの前記第１幅指定点を前記レイアウト領域中心点の回りを前記幅変更角だけ正回転した点の位置と、変更前のアーチ形の当該アイテムの前記第２幅指定点を前記レイアウト領域中心点の回りに前記幅変更角だけ逆回転した点の位置とになるように、変更前と前記幅の異なる変更後のアーチ形の当該アイテムの属性情報を生成することを特徴とする。
【００８０】
これにより、上述した本発明の態様にかかるアイテム編集装置と同等の効果が得られる。
【００８１】
（２９）  前記アーチ形幅変更工程（ｄ）は、
変更前のアーチ形の前記アイテムの２個の前記幅指定点のうち、前記第１移動点に近い点を第１幅指定点、遠い点を第２幅指定点とし、前記レイアウト領域中心点と前記第１幅指定点とを結ぶ線分を基準に、前記線分と、前記レイアウト領域中心点と変更後の前記第１移動点とを結ぶ線分との成す角を幅変更角としたとき、変更前及び変更後のアーチ形の前記アイテムの前記円中心点の位置が前記レイアウト領域中心点の位置となる。
また、変更前のアーチ形の当該アイテムの前記高さと変更後のアーチ形の前記アイテムの前記高さとが同じである。
そして、変更後のアーチ形の当該アイテムの２個の前記幅指定点の位置が、変更前のアーチ形の当該アイテムの前記第１幅指定点を前記レイアウト領域中心点の回りを前記幅変更角だけ正回転した点の位置と、変更前のアーチ形の当該アイテムの前記第２幅指定点の位置とになるように、変更前と前記幅の異なる変更後のアーチ形の当該アイテムの属性情報を生成することを特徴とする。
【００８２】
これにより、上述した本発明の態様にかかるアイテム編集装置と同等の効果が得られる。
【００８３】
（３０）  前記アーチ形高さ変更工程（ｅ）は、
変更前のアーチ形の前記アイテムの２個の前記高さ指定点のうち、前記第２移動点に近い点を第１高さ指定点、遠い点を第２高さ指定点としたとき、変更前及び変更後のアーチ形の前記アイテムの前記円中心点の位置が前記レイアウト領域中心点の位置となる。
そして、変更後のアーチ形の当該アイテムの前記高さが、移動前の前記第２移動点とアーチ形の円中心点までの距離と移動後の前記第２移動点とアーチ形の円中心点までの距離の差だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００８４】
これにより、上述した本発明の態様にかかるアイテム編集装置と同等の効果が得られる。
【００８５】
（３１）  前記アーチ形高さ変更工程（ｅ）は、
変更前のアーチ形の前記アイテムの２個の前記高さ指定点のうち、前記第２移動点に近い点を第１高さ指定点、遠い点を第２高さ指定点としたとき、変更前及び変更後のアーチ形の前記アイテムの前記円中心点の位置が前記レイアウト領域中心点の位置となる。
そして、変更後のアーチ形の当該アイテムの前記高さが、変更前の当該アイテムの２個の前記幅指定点を結ぶ線分に平行で、かつ、移動前の前記第２移動点を通る直線から移動後の前記第２移動点までの距離だけ、変更前のアーチ形の当該アイテムの前記高さから変化した値になる。
また、変更後のアーチ形の当該アイテムを構成する２本の線分が、それぞれ、変更前のアーチ形の当該アイテムを構成する２本の線分の延長線上に存在する。
また、変更前のアーチ形の当該アイテムの前記第２高さ指定点または前記第２高さ指定点が存在する円弧が、変更後のアーチ形の当該アイテムを構成する前記高さ指定点または１本の円弧となるように、変更前と前記高さの異なる変更後のアーチ形の当該アイテムの属性情報を生成することを特徴とする。
【００８６】
これにより、上述した本発明の態様にかかるアイテム編集装置と同等の効果が得られる。
【００８７】
（３２）  前記アイテム位置変更工程（ｆ）は、
移動前の前記第３移動点と前記レイアウト領域中心点とを結び線分と、変更前のアーチ形の当該アイテムの前記高さ中心円弧との交点を交点１とし、移動後の前記第３移動点と前記レイアウト領域中心点とを結び線分と、変更後のアーチ形の当該アイテムの前記高さ中心円弧との交点を交点２としたとき、変更前及び変更後のアーチ形の前記アイテムの前記円中心点の位置が前記レイアウト領域中心点の位置となる。
また、変更前のアーチ形の当該アイテムの前記幅と、変更後のアーチ形の当該アイテムの前記幅とが同じである。
また、変更前のアーチ形の当該アイテムの前記高さと変更後のアーチ形の当該アイテムの前記高さとが同じである。
また、移動前の前記第３移動点と前記交点１との距離と、移動後の前記第３移動点と前記交点３との距離とが同じである。
そして、変更前のアーチ形の当該アイテムの前記高さ中心円弧上の、変更前のアーチ形の当該アイテムの前記中心点と前記交点１との長さと、変更後のアーチ形の当該アイテムの前記高さ中心円弧上の、変更後のアーチ形の当該アイテムの前記中心点と前記交点２との長さとが同じであるように、変更前と位置が異なる変更後のアーチ形の当該アイテムの属性情報を生成することを特徴とする。
【００８８】
これにより、上述した本発明の態様にかかるアイテム編集装置と同等の効果が得られる。
【発明の効果】
【００８９】
本発明によれば、アイテムがアーチ形のときも、アイテムが矩形のときと同様の編集操
作により、アイテムの形状、回転角度、位置等を変更することができる。
即ち、矩形のアイテムの編集操作と、アーチ形のアイテムの編集操作を統一することができる。
また、１つの操作手順により、アイテムの一方向の形状、位置、回転角度、アイテムの形（矩形かアーチ形か）等の中の少なくとも１つを変更することができる。
従って、オペレータは、アイテムの編集操作を容易に行うことができる。また、オペレータが思っていた変更後のアイテムの形状により近い形状、回転角度、位置等にすることができる。
【００９０】
また、ＤＶＤ、ＣＤ、その他の光学記録媒体（メディア）のレーベル面の形状に合わせたアーチ形のアイテムを編集することができる。即ち、アーチ形を形成する円弧の円中心とＤＶＤ、ＣＤ等のレーベル面の中心とを一致させるようなアーチ形を形成し、編集することができる。
【発明を実施するための最良の形態】
【００９１】
この発明の第１及び第２の実施態様を、図面を参照しながら説明する。
なお、以下に説明する実施態様は説明のためのものであり、本発明の範囲を制限するものではない。
従って、当業者であればこれらの各要素もしくは全要素をこれと均等なもので置換した実施態様を採用することが可能であるが、これらの実施態様も本発明の範囲に含まれる。
【００９２】
図１は、本発明の第１の実施形態にかかるラベルエディタ部２７を備えた記録媒体作成制御装置１０及びこれにより制御される記録媒体作成装置９０を示す。
図１においては、記録媒体作成制御装置１０は、ＰＣ又はサーバ等のホスト装置及びこれにインストールされているソフトウェアにより構成されている。
ＰＣ等のホスト装置１０は、ＣＰＵ、ＲＡＭ・ＲＯＭ等のメモリ、論理回路等のハードウェアと、各種ソフトウェアとから構成されており、Ｗｉｎｄｏｗｓ（登録商標）等の各種汎用ＯＳで動作可能である。
【００９３】
記録媒体作成制御装置１０をより機能的なブロックに分解して説明すると、光学記録媒
体を作成するための基本機能を提供するアプリケーション部２０と、アプリケーション部
２０から受信したデータに従って、書込み情報、印刷情報、及び作成設定情報を作成し、
一時保存するデータ変換部３０と、データ変換部３０からの制御信号に基づいて光学記録
媒体を作成するための一連の動作処理をスケジューリングし、デバイス制御部５０の各ド
ライバの動作手順を制御する統合制御部４０と、記録媒体作成装置９０の動作を制御する
ための各種ドライバ及びＵＳＢインタフェース５４を含むデバイス制御部５０とから構成
されている。
【００９４】
ここで、書込み情報は、光学記録媒体に書き込む情報であり、印刷情報は、光学記録媒
体のレーベル面に印刷する情報であり、作成設定情報は命令要求の種類（書込み印刷要求
、書込み要求、印刷要求の中のいずれか１つの要求）、光学記録媒体の作成枚数、形式等
を設定した情報である。
【００９５】
記録媒体作成装置９０は、ＵＳＢハブ９１及びこれに接続される第１データ記録部９２
及び第２データ記録部９３、記録媒体作成装置９０内の各部に光学記録媒体を搬送するオ
ートローダ９４、及びプリンタ９５を備えており、同時に２つの光学記録媒体に対して書
込処理が可能である。
図１では、２つのデータ記録部と１つのプリンタを設けているが、更に多くのデータ記録部及びプリンタを設けて、より多くの並列処理を可能にするように構成しても良い。
【００９６】
ここで、書込み印刷要求の場合は、第１データ記録部９２または第２データ記録部９３
によりデータ書込が終了した後に、プリンタ９５によりラベル印刷が実行される。
また、プリンタ９５によりラベル印刷が終了した後に、第１データ記録部９２または第２データ記録部９３によりデータ書込を実行することも可能ではあるが、ラベル印刷処理に比較して、データ書込み処理によるエラーが重大であり、エラー発生頻度も高いことから、データ書込み処理を先に実行した方がより良い。
【００９７】
始めに、記録媒体作成制御装置１０の各部の機能を簡単に説明した上で、光学記録媒体
の作成手順を説明する。
まず、アプリケーション部２０は、希望する書込みデータが保存されているデータファイルの指定、ラベル印刷内容や形式の指定等を行うためのユーザインタフェースを提供する。
【００９８】
図１に示した例においては、セットアップ部２１は、記録媒体作成装置９０の仕様（有
効な記録媒体作成装置９０内の各部を指定する情報）を初期設定する機能を提供し、モニ
ター部２２は、記録媒体作成装置９０内の各部の動作状態を示す装置状態情報を表示して
、確認する機能を提供する。
ディスク作成部２３は、ディスクエディタ部２５、パブリッシャ部２６及びラベルエディタ部２７を備えており、記録内容の編集、作成設定情報の編集、及びラベル印刷の編集を行う。ラベル印刷の編集にはテンプレート部２４に記憶されているテンプレートを利用することが可能である。
一般アプリケーション部２８は、ラベル印刷の命令要求するディスク作成部２３とは異なる機能である。
ここで、本発明の一実施形態にかかるアイテム編集装置は、ラベルエディタ部２７に対応する。
【００９９】
アプリケーション部２０により編集された内容はデータ変換部３０に出力され、ディス
クライブラリ３１を介して生成された書込み情報３２、及び、プリンタドライバ６０のグ
ラフィックデバイスインターフェース（ＧＤＩ）６１を介して生成された印刷情報３３は
、命令要求の種類に基づいて、一時記憶部３４に要求ジョブが終了するまで一時記憶され
る。
【０１００】
統合制御部４０は、一時記憶部３４に記憶されている要求ジョブを実行するために、各
デバイスの処理手順を制御する。
統合制御部４０は、一時記憶部３４に記憶された要求ジョブを実行するための記録媒体作成装置９０の各デバイス９２〜９５の動作手順を計画し、動作手順を示す動作スケジュールを作成する。
また、統合制御部４０は、デバイス制御部５０を介して各デバイス９２〜９５から取得した各デバイスの動作状態を示す装置状態情報、及び、動作スケジュールに基づいて、デバイス制御部５０を介して各デバイス９２〜９５動作を制御する。
【０１０１】
具体的には、統合制御部４０は、装置状態情報及び動作スケジュールに基づいて、デー
タ記録部ドライバ５１、オートローダドライバ５３及び印刷入出力制御部６２に対して、
各デバイス９２〜９５の動作命令を出力して、データ記録部ドライバ５１、オートローダ
ドライバ５３及びプリンタドライバ６０の印刷入出力制御部６２によって各デバイス９２
〜９５の動作を制御させる。
【０１０２】
これにより、要求ジョブ毎に未記録の光学記録媒体の取り出し、光学記録媒体の搬送、
データ書込、ラベル印刷等の処理、記録済み光学記録媒体の搬送等を、各デバイス９２〜
９５の動作が互いに干渉することなく実行できるように、各デバイス９２〜９５の動作を
制御させることが可能である。
また、複数の光学記録媒体の作成処理を、リソースを効率良く利用ながら混乱することなく順次遂行させることが可能である。
【０１０３】
更に、データ記録部ドライバ５１は、統合制御部４０からの動作命令のみを有効な命令
として選択するフィルタドライバ５２を備え、統合制御部４０以外からの第１データ記録
部９２または第２データ記録部９３への動作命令を受け付けないようにしている。
【０１０４】
次に、図２を用いて、アイテムの各名称を説明する。図２は、アイテムの各名称を説明
するための図であり、図２(ａ)は、アーチ形が、２本の円弧と２本の線分とによって形成
される閉領域の形（以下、第１アーチ形と呼ぶ）であるときのアイテムの各名称を説明す
るための図であり、図２(ｂ)は、扇形のアイテムの各名称を説明するための図であり、図
２(ｃ)は、矩形のアイテムの各名称を説明するための図である。
【０１０５】
図２(ａ)に示すように、第１アーチ形のアイテムの各名称を以下のように定義する。
第１アーチ形を形成する２本の円弧７１ａ、７１ｂの円中心点を、第１アーチ形の円中心点７３とする。
また、第１アーチ形を形成する２本の線分７２ａ、７２ｂの長さを、第１アーチ形の高さＨとする。
また、第１アーチ形を形成する２本の線分７２ａ、７２ｂ上の中点を第１アーチ形の幅指定点７４ａ、７４ｂとし、第１アーチ形を形成する２本の円弧７１ａ、７１ｂの中点を第１アーチ形の高さ指定点７５ａ、７５ｂとする。
【０１０６】
また、第１アーチ形の２個の幅指定点７４ａ、７４ｂを端点とし、かつ、第１アーチ形
の円中心点７３を、円中心点とする円弧を、第１アーチ形の高さ中心円弧７６とする。
また、第１アーチ形の高さ中心円弧７６の長さをアーチ形の幅Ｗとし、第１アーチ形の高さ中心円弧７６上の中点を第１アーチ形の中心点７７とする。
また、第１アーチ形の円中心点７３と中心点７７とを通る直線を第１アーチ形の幅中心線７８とし、第１アーチ形の２個の幅指定点７４ａ、７４ｂを結ぶ線分７９から、第１アーチ形の中心点７７までの距離を曲がり量Ｃとする。
また、幅指定点７４ａ、７４ｂと円中心点７３とからなる角度を第１アーチ形の開度θとし、円中心点７３から幅指定点７４ａ、７４ｂまでの距離を第１アーチ形のアーチ半径ｒとする。
【０１０７】
また、図２（ｂ)に示すように、扇形のアイテムの各名称を以下のように定義する。
扇形を形成する円弧７１´ａの円中心点を、扇形の円中心点７３´とする。
また、扇形を形成する２本の線分７２´ａ、７２´ｂの長さを、扇形の高さＨとする。  また、扇形を形成する２本の線分７２´ａ、７２´ｂ上の中点を扇形の幅指定点７４´ａ、７４´ｂとし、扇形を形成する円弧７１´ａの中点を扇形の高さ指定点７５´ａとする。
【０１０８】
また、扇形の２個の幅指定点７４´ａ、７４´ｂを端点とし、かつ、扇形の円中心点７
３´を、円中心点とする円弧を、扇形の高さ中心円弧７６´とする。
また、扇形の高さ中心円弧７６´の長さを扇形の幅Ｗとし、扇形の高さ中心円弧７６´上の中点を扇形の中心点７７´とする。また、扇形の円中心点７３´と中心点７７´とを通る直線を扇形の幅中心線７８´とし、扇形の２個の幅指定点７４´ａ、７４´ｂを結ぶ線分７９´から、扇形の中心点７７´までの距離を曲がり量Ｃとする。また、幅指定点７４´ａ、７４´ｂと円中心点７３´とからなる角度を扇形の開度θとし、円中心点７３´から幅指定点７４´ａ、７４´ｂまでの距離を扇形のアーチ半径ｒとする。
【０１０９】
また、図２（ｃ)に示すように、矩形のアイテムの各名称を以下のように定義する。
【０１１０】
矩形の対角線の交点を矩形の中心点８７とし、矩形の左辺８２ａ及び右辺８２ｂの長さ
を矩形の高さＨとし、矩形の上辺８１ａ及び下辺８１ｂの長さを矩形の幅Ｗとする。
また、矩形の左辺８２ａ及び右辺８２ｂの中点を矩形の幅指定点８４ａ、８４ｂとし、矩形の上辺８１ａ及び下辺８１ｂの中点を矩形の高さ指定点８５ａ、８５ｂとし、矩形の高さ指定点８５ａ、８５ｂ及び中心点８７を通る直線を矩形の幅中心線８８とし、矩形の幅指定点８４ａ、８４ｂ及び中心点８７を通る直線を矩形の高さ中心線８９とする。
【０１１１】
次に、図３から図８を用いて、本発明にかかるアイテム編集装置の第１の実施形態について説明する。
図３は、本発明の第１の実施形態のラベルエディタ部２７の機能ブロック図の一例である。
図３では、本発明に関連する部分の機能のみを示している。
ラベルエディタ部２７は、アーチ形生成部４１、アイテム曲がり量変更部４２、アイテム幅変更部４３、アイテム高さ変更部４４、アイテム位置変更部４５、及び属性情報記憶部４７を備えている。
以下、アーチ形として、第１アーチ形を例に挙げて説明する。
【０１１２】
アーチ形生成部４１は、属性情報記憶部４７に格納されているアイテムの中から、選択
された上下左右の方向を有する矩形であるアイテムの属性情報を取り出す。
取り出した変更前のアイテムの属性情報に基づいて、上下左右の方向を有する矩形であるアイテムの中心点８７の近傍の点Ｑ（中心点の指定点）を、他の点Ｐへ移動させることにより、点Ｑから点Ｐへの幅中心線方向の移動量分変化した位置を変更後のアーチ形のアイテムの中心点７７として、アーチ形のアイテムの属性情報を生成して、属性情報記憶部４７に格納する。
図４は、アーチ形生成部４１によって生成されたアーチ形のアイテムを説明するための図である。
【０１１３】
図４に示すように、変更前の矩形のアイテムの幅指定点８４ａ、８４ｂの位置が、変更
後のアーチ形のアイテムの幅指定点７４´ａ、７４´ｂの位置になり、変更前の矩形のア
イテムの高さＨが、変更後のアーチ形のアイテムの高さＨ´となる。
即ち、変更前後においてアイテムの幅指定点と高さとが、保持されるように、変更後のアーチ形のアイテムの属性情報を生成する。
【０１１４】
また、変更後のアーチ形のアイテムの中心点７７´の位置は、変更前の矩形のアイテム
の幅中心線８８上を、変更前のアーチ形の矩形の幅指定点８４ａ、８４ｂを結ぶ線分８９
に平行でかつ点Ｑを通る直線から点Ｐまでの距離だけ、点Ｑから変位した位置となる。
即ち、変更後のアーチ形のアイテムの中心点７７´の位置は、点Ｐから変更前の矩形のアイテムの幅中心線８８上に垂直に下ろした点となる。
【０１１５】
アイテム曲がり量変更部４２は、属性情報記憶部４７に格納されているアイテムの中か
ら、選択されたアイテムの属性情報を取り出す。
取り出した変更前のアイテムの属性情報に基づいて、変更前のアーチ形のアイテムの中心点７７の近傍の点Ｑを、他の点Ｐへ移動させることにより、点Ｑから点Ｐへの幅中心線方向の移動量分変化した位置を変更後のアーチ形のアイテムの中心点７７´として、変更前と曲がり量の異なる変更後のアーチ形のアイテムの属性情報を生成して、属性情報記憶部４７に格納する。
図５は、アイテム曲がり量変更部４２によって生成されたアーチ形のアイテムを説明するための図である。
【０１１６】
図５に示すように、変更前のアーチ形のアイテムの幅指定点７４ａ、７４ｂの位置が、
変更後のアーチ形のアイテムの幅指定点７４´ａ、７４´ｂの位置になり、変更前のアー
チ形のアイテムの高さＨが、変更後のアーチ形のアイテムの高さＨ´となる。
即ち、変更前後において、アイテムの幅指定点と高さとが、保持されるように、変更後のアーチ形のアイテムの属性情報を生成する。
【０１１７】
また、変更後のアーチ形のアイテムの中心点７７´の位置は、変更前のアーチ形のアイ
テムの幅中心線７８上を、変更前のアーチ形のアイテムの幅指定点７４ａ、７４ｂを結ぶ
線分７９に平行でかつ点Ｑを通る直線から点Ｐまでの距離だけ、点Ｑから変位した位置と
なる。
即ち、変更後のアーチ形のアイテムの中心点７７´の位置は、点Ｐから変更前のアーチ形のアイテムの幅中心線７８上に垂直に下ろした点となる。
【０１１８】
尚、ここで、点Ｐが、変更前のアーチ形のアイテムの幅指定点７４ａ、７４ｂを結ぶ線
分７９の延長線上である場合は、変更後のアイテムは矩形となる。
即ち、変更後のアイテムの曲がり量は０となる。
【０１１９】
アイテム幅変更部４３は、属性情報記憶部４７に格納されているアイテムの中から、選
択されたアイテムの属性情報を取り出す。
取り出した変更前のアイテムの属性情報に基づいて、変更前のアーチ形のアイテムの２個の幅指定点７４ａ、７４ｂのいずれか一方の点の近傍の点Ｑを、他の点Ｐへ移動させることにより、移動させなかった幅指定点７４ａ、７４ｂのいずれか一方の点と点Ｐとを、変更後の幅指定点７４´ａ、７４´ｂとして、変更前と幅の異なる変更後のアーチ形のアイテムの属性情報を生成して、属性情報記憶部４７に格納する。
図６は、アイテム幅変更部４３によって生成されたアーチ形のアイテムを説明するための図である。
図６(ａ)は、変更前後のアイテムの形状を示した図であり、図６(ｂ)は、変更後のアイテムの幅を説明するための図である。
【０１２０】
図６(ａ)に示すように、変更前のアーチ形のアイテムの高さＨが変更後のアーチ形のア
イテムの高さＨ´となり、変更前のアーチ形の該アイテムの曲がり量Ｃが変更後のアーチ
形のアイテムの曲がり量Ｃ´となり、変更後のアーチ形のアイテムの２個の幅指定点７４
´ａ、７４´ｂの位置が、移動させなかった幅指定点７４ａ、７４ｂのいずれか一方の点
と点Ｐの位置となる。
即ち、変更前後において、アイテムの高さと曲がり量と移動させなかった幅指定点７４ａ、７４ｂのいずれか一方の点とが、保持されるように、変更後のアーチ形のアイテムの属性情報を生成する。
【０１２１】
また、図６(ｂ)に示すように、変更後のアーチ形のアイテムの開度θ´及びアーチ半径
ｒ´を用いると、変更後のアーチ形のアイテムの幅Ｗ´は、下記の式で表される。ここで
、開度θ´の単位は度（°）である。
【０１２２】
Ｗ´＝２×π×ｒ´×θ´／３６０
アイテム高さ変更部４４は、属性情報記憶部４７に格納されているアイテムの中から、
選択されたアイテムの属性情報を取り出す。
取り出した変更前のアイテムの属性情報に基づいて、変更前のアーチ形のアイテムの２個の高さ指定点７５ａ、７５ｂのいずれか一方の点の近傍の点Ｑを、他の点Ｐへ移動させることにより、移動させなかった高さ指定点７５ａ、７５ｂのいずれか一方の点と点Ｐとを、変更後の高さ指定点７５´ａ、７５´ｂとして、変更前と高さの異なる変更後のアーチ形のアイテムの属性情報を生成して、属性情報記憶部４７に格納する。
図７は、アイテム高さ変更部４４によって生成されたアーチ形のアイテムを説明するための図である。
【０１２３】
図７に示すように、変更前のアーチ形のアイテムの円中心点７３の位置が変更後のアー
チ形のアイテムの円中心点７３´の位置となり、変更後のアーチ形のアイテムの開度θ´
が、変更前のアーチ形のアイテムの開度θとなる。
また、変更後のアーチ形のアイテムの高さＨ´が、変更前のアイテムの２個の幅指定点７４ａ、７４ｂを結ぶ線分７９に平行でかつ点Ｑを通る直線から点Ｐまでの距離だけ、変更前のアーチ形の当該アイテムの高さＨから変化した値になる。
そして、移動させなかった高さ指定点７５ａ、７５ｂのいずれか一方の点の存在する変更前のアイテムの円弧７１ａまたは７１ｂが、変更後のアイテムの円弧７１´ａまたは７１´ｂとなるように、変更後のアーチ形のアイテムの属性情報を生成する。
【０１２４】
アイテム位置変更部４５は、属性情報記憶部４７に格納されているアイテムの中から、
選択されたアイテムの属性情報を取り出す。
取り出した変更前のアイテムの属性情報に基づいて、変更前のアーチ形のアイテムの中心点７７、２個の幅指定点７４ａ、７４ｂ及び２個の高さ指定点７５ａ、７５ｂを除いたアイテムの領域内の点Ｑを、他の点Ｐへ移動させる。
このことにより、変更前後のアイテムの形状が同じで、変更前のアーチ形のアイテム領域内の所定の点（例えば、中心点）に対する点Ｑの相対位置が、変更後のアーチ形のアイテム領域内の所定の点（例えば、中心点）に対する点Ｐの相対位置となるように、変更前とアイテムの位置が異なる変更後のアーチ形のアイテムの属性情報を生成して、属性情報記憶部４７に格納する。
図８は、アイテム位置変更部４５によって生成されたアーチ形のアイテムを説明するための図である。
【０１２５】
図８に示すように、変更前のアーチ形のアイテムの幅Ｗが変更後のアーチ形のアイテム
の幅Ｗ´となり、変更前のアーチ形のアイテムの高さＨが変更後のアーチ形のアイテムの
高さＨ´となる。
また、変更前のアーチ形の該アイテムの曲がり量Ｃが変更後のアーチ形のアイテムの曲がり量Ｃ´となる。
また、変更後のアーチ形のアイテムの２個の幅指定点７４´ａ、７４´ｂの位置及び２個の高さ指定点７５´ａ、７５´ｂの位置及び中心点７７´の位置が、点Ｑと点Ｐとを結ぶ線分に平行に点Ｑから点Ｐまで距離だけ、変更前のアーチ形のアイテムの２個の幅指定点７４ａ、７４ｂの位置及び２個の高さ指定点７５ａ、７５ｂの位置及び中心点７７の位置から変位した位置となるように、変更後のアーチ形のアイテムの属性情報を生成する。
【０１２６】
上述したアーチ形のアイテムは第１アーチ形の場合であるが、扇形のアイテムの場合も
同様である。
【０１２７】
次に、図９から図１４を用いて、本発明にかかるアイテム編集装置の第２の実施形態について説明する。
【０１２８】
第１の実施形態における図１及び図２及びその説明は、第２の実施形態でも同様であるので、その説明は省略する。
【０１２９】
図９は本発明のアイテム編集装置のラベルエディタ部２７の機能ブロック図の一例である。
図９では、本発明に関連する部分の機能のみを示している。ラベルエディタ部２７は、アーチ形生成部４１、アーチ形曲がり量変更部４２、アーチ形幅変更部４３、アーチ形高さ変更部４４、アイテム位置変更部４５、ディスク中心設定部４６、及び属性情報記憶部４７を備えている。
以下、アーチ形として、第１アーチ形を例に挙げて説明する。
【０１３０】
ディスク中心設定部４６は、指定したアイテムにおいて、アーチ形の円中心点７３を前
記レイアウト領域中心点Ｏにするか否かを、アイテムの属性情報の中の１つの情報として
、設定する。
【０１３１】
即ち、このディスク中心設定部の設定によって、被印刷対象であるＣＤ又はＤＶＤ等のディスクの円形又は円形の１部であるアーチ形のレイアウト領域内で、前記ＣＤ又はＤＶＤ等のディスクの中心を基準としたアイテムの編集が可能になる。
【０１３２】
指定したアイテムの形が矩形であるときは、「ディスクのレーベル面の領域中心点Ｏをアーチ形の円中心点７３にする」と設定した場合（以下、「ディスク中心設定ＯＮ」とする）、アーチ形生成部４１によって、アイテムの形が矩形からアーチ形に変更される。
また、指定したアイテムの形がアーチ形であるときは、「ディスク中心設定ＯＮ」の場合、アーチ形曲がり量変更部４２によって、ディスクのレーベル面に合わされたアーチ形の曲がり量に変更される。
【０１３３】
アーチ形生成部４１は、属性情報記憶部４７に格納されているアイテムの中から選択さ
れた上下左右の方向を有する矩形であるアイテムの属性情報を取り出す。
ディスク中心設定部４６によって、取り出したアイテムが、「ディスク中心設定ＯＮ」に設定されたときに、取り出した変更前のアイテムの属性情報に基づいて、上下左右の方向を有する矩形であるアイテムの中心点８７を変更後のアーチ形のアイテムの中心点７７´とする。
更に、ディスクのレーベル面の領域中心点Ｏを変更後のアーチ形のアイテムの円中心点７３´として、アーチ形のアイテムの属性情報を生成して、属性情報記憶部４７に格納する。
図１０は、アーチ形生成部４１によって生成されたアーチ形のアイテムを説明するための図である。
【０１３４】
図１０に示すように、変更前の矩形のアイテムの中心点８７の位置が、変更後のアーチ形のアイテムの中心点７７´の位置になり、変更前の矩形のアイテムの幅Ｗが、変更後のアーチ形のアイテムの幅Ｗ´となり、変更前の矩形のアイテムの高さＨが、変更後のアーチ形のアイテムの高さＨ´となる。
また、ディスクのレーベル面の領域中心点Ｏが、変更後のアーチ形のアイテムの円中心点７３´となる。
即ち、ディスクのレーベル面の形状に合わせて、変更前後においてアイテムの中心点、幅及び高さが保持されるように、変更後のアーチ形のアイテムの属性情報を生成する。
【０１３５】
また、変更後のアーチ形のアイテムの開度θ´は、変更後のアーチ形のアイテムのアー
チ半径ｒ´及び変更前の矩形のアイテムの幅Ｗを用いると、下記の式で表される。
ここで、開度θ´の単位は度（°）である。
【０１３６】
θ´＝Ｗ×３６０／（２×π×ｒ´）
アーチ形曲がり量変更部４２は、属性情報記憶部４７に格納されているアイテムの中か
ら選択されたアーチ形のアイテムの属性情報を取り出す。
ディスク中心設定部４６によっ
て、取り出したアイテムが、「ディスク中心設定ＯＮ」に設定されたときに、取り出した
変更前のアイテムの属性情報に基づいて、変更前のアーチ形のアイテムの中心点７７を変
更後のアーチ形のアイテムの中心点７７´とする。
更に、ディスクのレーベル面の領域中心点Ｏを変更後のアーチ形のアイテムの円中心点７３として、アーチ形のアイテムの属性情報を生成して、属性情報記憶部４７に格納する。  図１１は、アーチ形曲がり量変更部４２によって生成されたアーチ形のアイテムを説明するための図である。
【０１３７】
図１１に示すように、変更前のアーチ形のアイテムの中心点７７の位置が、変更後のアーチ形のアイテムの中心点７７´の位置になり、変更前のアーチ形のアイテムの幅Ｗが、変更後のアーチ形のアイテムの幅Ｗ´となり、変更前のアーチ形のアイテムの高さＨが、変更後のアーチ形のアイテムの高さＨ´となる。
また、ディスクのレーベル面の領域中心点Ｏが、変更後のアーチ形のアイテムの円中心点７３´となる。即ち、ディスクのレーベル面の形状に合わせて、変更前後においてアイテムの中心点、幅及び高さが保持されるように、変更後のアーチ形のアイテムの属性情報を生成する。
【０１３８】
また、変更後のアーチ形のアイテムの開度θ´は、変更後のアーチ形のアイテムのアー
チ半径ｒ´と、変更前のアーチ形のアイテムの開度θ及びアーチ半径ｒとを用いると、下
記の式で表される。ここで、開度θ´及びθの単位は度（°）である。
【０１３９】
θ´＝ｒ×θ／ｒ´
アーチ形幅変更部４３は、属性情報記憶部４７に格納されているアイテムの中から、選
択されたアイテムの属性情報を取り出す。
取り出したアイテムが、「ディスク中心設定ＯＮ」に設定されているとき、取り出した変更前のアイテムの属性情報に基づいて、変更前のアーチ形のアイテムの２個の幅指定点７４ａ、７４ｂのいずれか一方の点の近傍の点Ｑを、他の点Ｐへ移動させることにより、変更前のアーチ形のアイテムの中心点７７を変更後のアーチ形のアイテムの中心点７７´として、変更前と幅の異なる変更後のアーチ形のアイテムの属性情報を生成して、属性情報記憶部４７に格納する。
図１２は、アーチ形幅変更部４３によって生成されたアーチ形のアイテムを説明するため一例を示す図である。
【０１４０】
図１２に示すように、変更前のアーチ形のアイテムの円中心点７３の位置が変更後のアーチ形のアイテムの円中心点７３´の位置となり、変更前のアーチ形のアイテムの中心点７７の位置が、変更後のアーチ形のアイテムの中心点７７´の位置になり、変更前のアーチ形のアイテムの高さＨが、変更後のアーチ形のアイテムの高さＨ´となる。
また、変更前のアーチ形のアイテムの中心点７７を端点とする、変更前のアーチ形のアイテムの円中心点７３と点Ｐとを通る直線と、変更前のアーチ形のアイテムのアーチ半径ｒの円との交点を点Ｒとしたとき、点Ｒが、変更後のアーチ形のアイテムの２個の幅指定点７４´ａ、７４´ｂのいずれか一方の位置となる。
また、変更前のアーチ形のアイテムの円中心点７３の回りを点Ｑから点Ｒへ回転（正回転）した角度をαとし、点Ｑから遠い変更前のアーチ形のアイテムの２個の幅指定点７４ａ、７４ｂのいずれか一方の点から、変更前のアーチ形のアイテムの円中心点７３の回りを（−α）だけ回転（αだけ逆回転）した点を点Ｓとしたとき、点Ｒと異なる、変更後のアーチ形のアイテムの２個の幅指定点７４´ａ、７４´ｂのいずれか一方の位置となる。
【０１４１】
また、変更後のアーチ形のアイテムの幅Ｗ´と変更前のアーチ形のアイテムの幅Ｗとの
差は、変更前のアーチ形のアイテムのアーチ半径ｒを用いると、下記の式で表される。こ
こで、αの単位は度（°）である。
【０１４２】
｜Ｗ´−Ｗ｜＝４×π×ｒ×α／３６０
また、点Ｑから点Ｒへ回転（正回転）したとき、幅指定点７４ａが点Ｓに移動するよう
にしているが、幅指定点７４ａを移動しないようにしてもよい。
このとき、変更前のアーチ形のアイテムの中心点７７の位置と、変更後のアーチ形のアイテムの中心点７７´の位置とは異なり、変更後のアーチ形のアイテムの幅Ｗ´´と変更前のアーチ形のアイテムの幅Ｗとの差は、変更前のアーチ形のアイテムのアーチ半径ｒを用いると、下記の式で表される。
ここで、αの単位は度（°）である。
【０１４３】
｜Ｗ´´−Ｗ｜＝２×π×ｒ×α／３６０
アーチ形高さ変更部４４は、属性情報記憶部４７に格納されているアイテムの中から、
選択されたアイテムの属性情報を取り出す。
取り出したアイテムが、「ディスク中心設定ＯＮ」に設定されているとき、取り出した変更前のアイテムの属性情報に基づいて、変更前のアーチ形のアイテムの２個の高さ指定点７５ａ、７５ｂのいずれか一方の点の近傍の点Ｑを、他の点Ｐへ移動させることにより、移動させなかった高さ指定点７５ａ、７５ｂのいずれか一方の点と点Ｐとを、変更後の高さ指定点７５´ａ、７５´ｂとして、変更前と高さの異なる変更後のアーチ形のアイテムの属性情報を生成して、属性情報記憶部４７に格納する。
【０１４４】
図１３はアーチ形高さ変更部４４によって生成されたアーチ形のアイテムの説明をするための図である。
【０１４５】
図１３に示すように、変更前のアーチ形のアイテムの円中心点７３の位置が変更後のアーチ形のアイテムの円中心点７３´の位置となり、変更後のアーチ形のアイテムの開度θ´が、変更前のアーチ形のアイテムの開度θとなる。
また、変更後のアーチ形のアイテムの高さＨ´が、変更前のアイテムの２個の幅指定点７４ａ、７４ｂを結ぶ線分７９に平行でかつ点Ｑを通る直線から点Ｐまでの距離だけ、変更前のアーチ形の当該アイテムの高さＨから変化した値になり、移動させなかった高さ指定点７５ａ、７５ｂのいずれか一方の点の存在する変更前のアイテムの円弧７１ａまたは７１ｂが、変更後のアイテムの円弧７１´ａまたは７１´ｂとなるように、変更後のアーチ形のアイテムの属性情報を生成する。
【０１４６】
アイテム位置変更部４５は、属性情報記憶部４７に格納されているアイテムの中から、
選択されたアイテムの属性情報を取り出す。
取り出したアイテムが、「ディスク中心設定ＯＮ」に設定されているとき、取り出した変更前のアイテムの属性情報に基づいて、変更前のアーチ形のアイテムの２個の幅指定点７４ａ、７４ｂ及び２個の高さ指定点７５ａ、７５ｂを除いたアイテムの領域内の点Ｑを、他の点Ｐへ移動させることにより、変更前とアイテムの位置が異なる変更後のアーチ形のアイテムの属性情報を生成して、属性情報記憶部４７に格納する。
図１４は、アイテム位置変更部４５によって生成されたアーチ形のアイテムを説明するための図である。
【０１４７】
図１４に示すように、変更前のアーチ形のアイテムの円中心点７３の位置が変更後のアーチ形のアイテムの円中心点７３´の位置となり、変更前のアーチ形のアイテムの幅Ｗが変更後のアーチ形のアイテムの幅Ｗ´となり、変更前のアーチ形のアイテムの高さＨが変更後のアーチ形のアイテムの高さＨ´となる。
また、変更前のアーチ形のアイテムの円中心点７３を端点とする、変更前のアーチ形のアイテムの円中心点７３と点Ｑとを通る直線と、変更前のアーチ形のアイテムの高さ中心円弧７６との交点を点Ｔとし、変更後のアーチ形のアイテムの円中心点７３´を端点とする、変更後のアーチ形のアイテムの円中心点７３´と点Ｐとを通る直線と、変更後のアーチ形のアイテムの高さ中心円弧７６´との交点を点Ｒとしたとき、点Ｔから点Ｑまでの距離と、点Ｒから点Ｐまでの距離とが同じになる。
また、変更前のアーチ形のアイテムの中心点７７から点Ｔまでの、変更前のアーチ形の
アイテムの高さ中心円弧７６上の長さと、変更後のアーチ形のアイテムの中心点７７´か
ら点Ｒまでの、変更後のアーチ形のアイテムの高さ中心円弧７６´上の長さとが同じにな
る。
【０１４８】
上述したアーチ形のアイテムは第１アーチ形の場合であるが、扇形のアイテムの場合も
同様である。
【０１４９】
また、上述のラベルエディタ部２７は、本発明のアイテム編集装置に対応し、アーチ形
生成部４１は、本発明のアーチ形生成手段に対応し、アーチ形曲がり量変更部４２は、本
発明のアーチ形曲がり量変更手段に対応し、アーチ形幅変更部４３は、本発明のアーチ形
幅変更手段に対応し、アーチ形高さ変更部４４は、本発明のアーチ形高さ変更手段に対応
し、アイテム位置変更部４５は、本発明のアイテム位置変更手段に対応し、ディスク中心
設定部４６は、本発明のレイアウト領域中心設定手段に対応する。
【図面の簡単な説明】
【０１５０】
【図１】本発明の一実施形態にかかるラベルエディタ部２７を備えた記録媒体作成制御装置１０及びこれにより制御される記録媒体作成装置９０を示す。
【図２】アイテムの各名称を説明するための図である。
【図３】ラベルエディタ部２７の第１の実施形態にかかる機能ブロック図の一例である。
【図４】アーチ形生成部４１によって生成されたアーチ形のアイテムを説明するための図である。
【図５】アイテム曲がり量変更部４２によって生成されたアーチ形のアイテムを説明するための図である。
【図６】アイテム幅変更部４３によって生成されたアーチ形のアイテムを説明するための図である。
【図７】アイテム高さ変更部４４によって生成されたアーチ形のアイテムを説明するための図である。
【図８】アイテム位置変更部４５によって生成されたアーチ形のアイテムを説明するための図である。
【図９】ラベルエディタ部２７の第２の実施形態にかかる機能ブロック図の一例である。
【図１０】ディスク中心設定部「ＯＮ」時の、アーチ形生成部４１によって生成されたアーチ形のアイテムを説明するための図である。
【図１１】ディスク中心設定部「ＯＮ」時の、アイテム曲がり量変更部４２によって生成されたアーチ形のアイテムを説明するための図である。
【図１２】ディスク中心設定部「ＯＮ」時の、アイテム幅変更部４３によって生成されたアーチ形のアイテムを説明するための図である。
【図１３】ディスク中心設定部「ＯＮ」時のアイテム高さ変更部４４によって生成されたアーチ形のアイテムを説明するための図である。
【図１４】ディスク中心設定部「ＯＮ」時のアイテム位置変更部４５によって生成されたアーチ形のアイテムを説明するための図である。
【符号の説明】
【０１５１】
１０    記録媒体作成制御装置
２７    ラベルエディタ部
４１    アーチ形生成部
４２    アイテム曲がり量変更部
４３    アイテム幅変更部
４４    アイテム高さ変更部
４５    アイテム位置変更部
４６    ディスク中心設定部
４７    属性情報記憶部
９０    記録媒体作成装置
【図１】
2008165727.tif 000003
【図２】
2008165727.tif 000004
【図３】
2008165727.tif 000005
【図４】
2008165727.tif 000006
【図５】
2008165727.tif 000007
【図６】
2008165727.tif 000008
【図７】
2008165727.tif 000009
【図８】
2008165727.tif 000010
【図９】
2008165727.tif 000011
【図１０】
2008165727.tif 000012
【図１１】
2008165727.tif 000013
【図１２】
2008165727.tif 000014
【図１３】
2008165727.tif 000015
【図１４】
2008165727.tif 000016